(57)【要約】ＯＦＤＭシステムにおけるストリップシンボル期間内での通信のためにトーンを割り当てる方法および装置が記載される。ストリップシンボルにおいて、信号は、固定されたスケジュールシーケンスに従ってトーンサブセットの所定のセットから選択される、トーンサブセット内のトーンを使用して伝送される。隣接する基地局およびセクタは、トーンサブセットの同一のセットであるが、隣接するセクタおよび近接のセルで使用されるトーンサブセット間の衝突の数を最小化するために異なるスケジュールシーケンスを使用する。
2009533987.tif 000002
【特許請求の範囲】
【請求項１】
情報を通信するためにトーンのブロックを使用する方法であって、前記方法は、
第１のトーンセットホッピングシーケンスに従って、第１の繰り返し時間期間について、パワーが伝送されるべきではないトーンサブセットを決定し、前記決定されたトーンサブセットは、前記トーンのブロック内の前記トーンの少なくとも３０パーセントを含み、
第２の繰り返し時間期間の間に、情報を伝送するために前記トーンのブロックを使用し、前記トーンの少なくとも７０パーセントが、前記第２の繰り返し時間期間の間に非ゼロ変調シンボルを通信するために利用可能である、方法。
【請求項２】
前記第２の繰り返し時間期間が、前記第１の繰り返し時間期間の持続期間の少なくとも１０倍の持続期間を有する請求項１に記載の方法。
【請求項３】
前記第１の繰り返し時間期間それぞれは、少なくとも１個のＯＦＤＭシンボル伝送時間期間を含み、前記第２の繰り返し時間期間は、少なくとも１０個の連続するＯＦＤＭシンボル伝送時間期間を含む請求項１に記載の方法。
【請求項４】
前記第１のトーンセットホッピングシーケンスは、第１の時間期間について、複数の所定のトーンサブセットの中のどの１つが使用されるべきかを決定する請求項３に記載の方法。
【請求項５】
前記第１および第２の時間期間は、所定の基準で繰り返す第３の時間期間で生じ、第１の時間期間内のＯＦＤＭシンボル伝送時間期間は、モジュラー増分インデックスを使用して索引が付けられ、かつ
前記第１のトーンセットホッピングシーケンスは、前記モジュラー増分インデックスの関数である請求項４に記載の方法。
【請求項６】
前記第１および第２の時間期間は、所定の基準で繰り返す第３の時間期間内で生じ、第１の時間期間内のＯＦＤＭシンボル伝送時間期間は、モジュラー増分インデックスを使用して索引が付けられ、かつ
前記第１のトーンセットホッピングシーケンスは、前記トーンブロックが使用されるセクタまたはセル内のセクタ識別子およびセル識別子の少なくとも１つの関数である請求項４に記載の方法。
【請求項７】
前記所定のトーンサブセットの数が、素数である請求項４に記載の方法。
【請求項８】
前記トーンホッピングシーケンスは、式ｆ（ｂｓｓＳｌｏｐｅＩｎｄｅｘ，ｂｓｓＳｅｃｔｏｒＴｙｐｅ，ｋ）＝（ｂｓｓＳｌｏｐｅＩｎｄｅｘ＋１）／（ｂｓｓＳｅｃｔｏｒＴｙｐｅ＊ｋ＋ｋ２）に従って決定され、ここで、
ｆ（ｂｓｓＳｌｏｐｅＩｎｄｅｘ，ｂｓｓＳｅｃｔｏｒＴｙｐｅ，ｋ）は、ｂｓｓＳｌｏｐｅＩｎｄｅｘ値およびｂｓｓＳｅｃｔｏｒＴｙｐｅ値を有する基地局セクタについて、ストリップシンボルｋにおいて選択されるべき前記トーンサブセットの前記インデックスを表し、
各算術演算子（＋，２，＊，／）は、Ｎの領域で規定され、Ｎは素数であり、
ｂｓｓＳｌｏｐｅＩｎｄｅｘは、{０，１，・・・，Ｎ１−１}に対する値のセット内の局所的に唯一のセル識別子値であり、ここで、Ｎ１≦Ｎであり、Ｎ１はゼロではない正の整数であり、
ｂｓｓＳｅｃｔｏｒＴｙｐｅは、セット{０，１，・・・，５}、{０，１}および{０，１，２}の中の１つからの前記セクタのセクタ識別子値インデックスであり、
ｆは、基地局のセクタにおける関数であり、
ｋは、負ではない整数である請求項７に記載の方法。
【請求項９】
Ｎ＝９７およびＮ１＝９６である請求項８に記載の方法。
【請求項１０】
ｋ＝Ｌ＊ｎ＋ｍであり、ここで
ｍは、第１のタイプの時間スロットにおけるストリップシンボルインデックスであり、ｍは、負ではない整数であり、
Ｌは、第２のタイプの時間スロットにおける第１のタイプの時間スロットインデックスであり、
ｎは、第１のタイプの時間スロットにおける索引が付けられたストリップシンボルの数である請求項９に記載の方法。
【請求項１１】
前記第１のタイプの時間スロットは、ビーコンスロットであり、前記第２のタイプの時間スロットは、ウルトラスロットであり、ここで、ｍは、セット{０，１，・・・，９}における値であり、Ｌは、セット{０，１，・・・，１７}における値であり、ｎは１０である請求項１０に記載の方法。
【請求項１２】
前記第３の時間期間は、所定の基準で生じる複数の第４の時間期間をさらに含み、前記方法は、
前記第３の時間期間の間に生じる少なくともいくつかの第４の時間期間の間に、前記時間の第２の期間の間に伝送される任意のトーンより高いトーン当たりの信号エネルギを有する狭帯域ビーコントーンを伝送することをさらに含む請求項４に記載の方法。
【請求項１３】
前記第１のトーンホッピングシーケンスは、セル識別子値の関数である請求項４に記載の方法。
【請求項１４】
前記第１のトーンホッピングシーケンスは、セクタ識別子値の関数でもある請求項１３に記載の方法。
【請求項１５】
格納された送信器制御情報を含むメモリと、
情報を通信するためにトーンのブロックを使用するための通信モジュールと、
第１のトーンセットホッピングシーケンスに従って、第１の繰り返し時間期間について、パワーが伝送されるべきではないトーンサブセットを決定するための決定モジュールであって、前記決定されたトーンサブセットが、前記トーンのブロック内の前記トーンの少なくとも３０パーセントを含み、
第２の繰り返し時間期間の間に、情報を伝送するために前記トーンのブロックを使用して伝送するための送信器とを備え、前記トーンの少なくとも７０パーセントが、前記第２の時間期間の間に非ゼロ変調シンボルを通信するために利用可能である、通信デバイス。
【請求項１６】
前記第２の繰り返し時間期間が、前記第１の時間期間の持続期間の少なくとも１０倍の持続期間を有する請求項１５に記載の装置。
【請求項１７】
前記第１の繰り返し時間期間それぞれは、少なくとも１個のＯＦＤＭシンボル伝送時間期間を含み、前記第２の繰り返し時間期間は、少なくとも１０個の連続するＯＦＤＭシンボル伝送時間期間を含む請求項１５に記載の装置。
【請求項１８】
前記第１のトーンセットホッピングシーケンスは、第１の時間期間の間に、複数の所定のトーンサブセットの中のどの１つが使用されるべきかを決定する請求項１７に記載の装置。
【請求項１９】
前記第１および第２の時間期間は、所定の基準で繰り返す第３の時間期間で生じ、第１の時間期間内のＯＦＤＭシンボル伝送時間期間は、モジュラー増分インデックスを使用して索引が付けられ、かつ
前記第１のトーンセットホッピングシーケンスは、前記モジュラー増分インデックスの関数である請求項１８に記載の装置。
【請求項２０】
前記第１および第２の時間期間は、所定の基準で繰り返す第３の時間期間で生じ、第１の時間期間内のＯＦＤＭシンボル伝送時間期間は、モジュラー増分インデックスを使用して索引が付けられ、かつ
前記第１のトーンセットホッピングシーケンスは、前記トーンブロックが使用されるセクタまたはセル内のセクタ識別子およびセル識別子の少なくとも１つの関数である請求項１８に記載の装置。
【請求項２１】
前記所定のトーンサブセットの数が、素数である請求項１８に記載の装置。
【請求項２２】
式ｆ（ｂｓｓＳｌｏｐｅＩｎｄｅｘ，ｂｓｓＳｅｃｔｏｒＴｙｐｅ，ｋ）＝（ｂｓｓＳｌｏｐｅＩｎｄｅｘ＋１）／（ｂｓｓＳｅｃｔｏｒＴｙｐｅ＊ｋ＋ｋ２）を実施するための少なくとも１つのモジュールを含み、ここで、
ｆ（ｂｓｓＳｌｏｐｅＩｎｄｅｘ，ｂｓｓＳｅｃｔｏｒＴｙｐｅ，ｋ）は、ｂｓｓＳｌｏｐｅＩｎｄｅｘ値およびｂｓｓＳｅｃｔｏｒＴｙｐｅ値を有する基地局セクタについて、ストリップシンボルｋにおいて選択されるべき前記トーンサブセットの前記インデックスを表し、
各算術演算子（＋，２，＊，／）は、Ｎの領域で規定され、Ｎは素数であり、
ｂｓｓＳｌｏｐｅＩｎｄｅｘは、{０，１，・・・，Ｎ１−１}に対する値のセット内の局所的に唯一のセル識別子値であり、ここで、Ｎ１≦Ｎであり、Ｎ１はゼロではない正の整数であり、
ｂｓｓＳｅｃｔｏｒＴｙｐｅは、セット{０，１，・・・，５}、{０，１}および{０，１，２}の中の１つからの前記セクタのセクタ識別子値インデックスであり、
ｆは、基地局のセクタにおける関数であり、
ｋは、負ではない整数である請求項２１に記載の装置。
【請求項２３】
Ｎ＝９７およびＮ１＝９６である請求項２２に記載の装置。
【請求項２４】
ｋ＝Ｌ＊ｎ＋ｍであり、ここで
ｍは、第１のタイプの時間スロットにおけるストリップシンボルインデックスであり、ｍは、負ではない整数であり、
Ｌは、第２のタイプの時間スロットにおける第１のタイプの時間スロットインデックスであり、
ｎは、第１のタイプの時間スロットにおける索引が付けられたストリップシンボルの数である請求項２２に記載の装置。
【請求項２５】
前記第１のタイプの時間スロットは、ビーコンスロットであり、前記第２のタイプの時間スロットは、ウルトラスロットであり、ここで、ｍは、セット{０，１，・・・，９}における値であり、Ｌは、セット{０，１，・・・，１７}における値であり、ｎは１０である請求項２４に記載の装置。
【請求項２６】
前記第３の時間期間は、所定の基準で生じる複数の第４の時間期間をさらに含み、前記装置は、
前記第３の時間期間の間に生じる少なくともいくつかの第４の時間期間の間に伝送されるべきビーコン信号を生成するためのビーコンモジュールをさらに備え、前記生成されたビーコン信号は、前記時間の第２の期間の間に伝送される任意のトーンより高いトーン当たりの信号エネルギを有するビーコントーンを含む狭帯域信号である請求項１８に記載の装置。
【請求項２７】
送信器制御情報を格納するための手段と、
情報を通信するためにトーンのブロックを使用するための手段と、
第１のトーンセットホッピングシーケンスに従って、第１の繰り返し時間期間について、パワーが伝送されるべきではないトーンサブセットを決定するための手段であって、前記決定されたトーンサブセットが、前記トーンのブロック内の前記トーンの少なくとも３０パーセントを含み、
第２の繰り返し時間期間の間に、情報を伝送するために前記トーンのブロックを使用して伝送するための送信器手段であって、前記トーンの少なくとも７０パーセントが、前記第２の繰り返し時間期間の間に非ゼロ変調シンボルを通信するために利用可能である、送信器手段とを含む通信装置。
【請求項２８】
前記第２の繰り返し時間期間が、前記第１の繰り返し時間期間の持続期間の少なくとも１０倍の持続期間を有する請求項２７に記載の装置。
【請求項２９】
前記第１の繰り返し時間期間それぞれは、少なくとも１個のＯＦＤＭシンボル伝送時間期間を含み、前記第２の繰り返し時間期間は、少なくとも１０個の連続するＯＦＤＭシンボル伝送時間期間を含む請求項２７に記載の装置。
【請求項３０】
前記第１のトーンセットホッピングシーケンスは、第１の時間期間の間に、複数の所定のトーンサブセットの中のどの１つが使用されるべきかを決定する請求項２９に記載の装置。
【請求項３１】
前記第１および第２の時間期間は、所定の基準で繰り返す第３の時間期間で生じ、第１の時間期間内のＯＦＤＭシンボル伝送時間期間は、モジュラー増分インデックスを使用して索引が付けられ、かつ
前記第１のトーンセットホッピングシーケンスは、前記モジュラー増分インデックスの関数である請求項３０に記載の装置。
【請求項３２】
機械実行可能な命令を含む機械可読媒体であって、前記機械実行可能な命令は、
第１のトーンセットホッピングシーケンスに従って、第１の繰り返し時間期間について、パワーが伝送されるべきではないトーンサブセットを決定するための命令と、前記決定されたトーンサブセットが、トーンのブロック内の前記トーンの少なくとも３０パーセントを含み、
第２の繰り返し時間期間の間に、前記トーンのブロックを使用して情報を伝送するための命令とを有し、前記トーンの少なくとも７０パーセントが、前記第２の時間期間の間に非ゼロ変調シンボルを通信するために利用可能である機械可読媒体。
【請求項３３】
前記第２の繰り返し時間期間が、前記第１の繰り返し時間期間の持続期間の少なくとも１０倍の持続期間を有する請求項３２に記載の機械可読媒体。
【請求項３４】
前記第１の繰り返し時間期間それぞれは、少なくとも１個のＯＦＤＭシンボル伝送時間期間を含み、前記第２の繰り返し時間期間は、少なくとも１０個の連続するＯＦＤＭシンボル伝送時間期間を含む請求項３２に記載の機械可読媒体。
【請求項３５】
前記第１のトーンセットホッピングシーケンスを使用するための格納された機械実行可能な命令は、第１の時間期間について、複数の所定のトーンサブセットの中のどの１つが使用されるべきかを決定する請求項３４に記載の機械可読媒体。
【請求項３６】
前記第１および第２の時間期間は、所定の基準で繰り返す第３の時間期間で生じ、第１の時間期間内のＯＦＤＭシンボル伝送時間期間は、モジュラー増分インデックスを使用して索引が付けられ、かつ
前記第１のトーンセットホッピングシーケンスは、前記モジュラー増分インデックスの関数である請求項３５に記載の機械可読媒体。
【請求項３７】
トーンのブロックを使用して通信された情報を回復するために無線端末を動作する方法であって、前記方法は、
基地局取り付けポイント送信器の繰り返す第３の時間期間に対するタイミング同期情報を決定することと、
前記決定されたタイミング同期情報を使用してダウンリンク受信を同期化することと、
前記第３の時間期間における第１の時間期間を識別することと、
前記第１の取り付けポイント送信器に対応する第１のトーンサブセットホッピングシーケンスを使用して前記第１の時間期間の間に通信された、受信されたストリップシンボルを回復しかつ処理することであって、前記第１の時間期間は、前記第３の時間期間内にあり、前記第１のトーンサブセットホッピングシーケンスは、第１の時間期間ではない前記第３の時間期間内で使用されない、受信されたストリップシンボルを回復しかつ処理することとを含む方法。
【請求項３８】
前記受信されたストリップシンボルは、ヌルトーンのサブセットおよび非ヌルトーンのサブセットを使用して前記基地局取り付けポイント送信器によって伝送された、伝送されたＯＦＤＭシンボルに対応するＯＦＤＭシンボルであり、前記ヌルトーンのサブセットは、前記トーンブロック内の前記トーンの少なくとも３０％であり、前記非ヌルトーンのサブセットは、通信された同報通信制御情報に使用される請求項３７に記載の方法。
【請求項３９】
前記受信されたストリップシンボルを回復しかつ処理するステップは、前記第３の時間期間内で前記識別された第１の時間期間の関数として第１の時間期間トーンサブセットインデックスを決定することを含む請求項３８に記載の方法。
【請求項４０】
前記第１の時間期間サブセットインデックスは、それぞれヌルトーンおよび非ヌルトーンへの前記トーンブロックの異なる区分に対応する複数の所定の第１の時間期間サブセットインデックス値の１つである請求項３９に記載の方法。
【請求項４１】
前記受信されたストリップシンボルを回復しかつ処理するステップは、セル識別子情報およびセクタ識別子情報の少なくとも１つの関数として第１の時間期間トーンサブセットインデックスを決定することを含む請求項３９に記載の方法。
【請求項４２】
前記第１の時間期間トーンサブセットインデックスは、式ｆ（ｂｓｓＳｌｏｐｅＩｎｄｅｘ，ｂｓｓＳｅｃｔｏｒＴｙｐｅ，ｋ）＝（ｂｓｓＳｌｏｐｅＩｎｄｅｘ＋１）／（ｂｓｓＳｅｃｔｏｒＴｙｐｅ＊ｋ＋ｋ２）に従って決定され、ここで、
ｆ（ｂｓｓＳｌｏｐｅＩｎｄｅｘ，ｂｓｓＳｅｃｔｏｒＴｙｐｅ，ｋ）は、ｂｓｓＳｌｏｐｅＩｎｄｅｘ値およびｂｓｓＳｅｃｔｏｒＴｙｐｅ値を有する基地局セクタについて、ストリップシンボルｋにおいて選択されるべき前記トーンサブセットの前記インデックスを表し、
各算術演算子（＋，２，＊，／）は、Ｎの領域で規定され、Ｎは素数であり、
ｂｓｓＳｌｏｐｅＩｎｄｅｘは、{０，１，・・・，Ｎ１−１}に対する値のセット内の局所的に唯一のセル識別子値であり、ここで、Ｎ１≦Ｎであり、Ｎ１はゼロではない正の整数であり、
ｂｓｓＳｅｃｔｏｒＴｙｐｅは、セット{０，１，・・・，５}、{０，１}および{０，１，２}の中の１つからの前記セクタのセクタ識別子値インデックスであり、
ｆは、基地局のセクタにおける関数であり、
ｋは、負ではない整数である請求項４１に記載の方法。
【請求項４３】
前記第３の時間期間内で他の第１の時間期間を識別することと、
前記第１の取り付けポイント送信器に対応する前記第１のトーンサブセットホッピングシーケンスを使用して前記他の第１の時間期間の間に通信された、他のストリップシンボルを回復しかつ処理することであって、前記他の第１の時間期間は、前記第３の時間期間内にある、他のストリップシンボルを回復しかつ処理することとをさらに含む請求項３７に記載の方法。
【請求項４４】
第２の時間期間の間にユーザデータを含む処理ＯＦＤＭシンボルを受信することをさらに含み、前記第２の時間期間は、前記第３の時間期間内にあり、前記第２の時間期間は、第１の時間期間の持続期間の少なくとも１０倍の持続期間を有する請求項４３に記載の方法。
【請求項４５】
ホッピング関数は、第１および第２の両方の時間期間の間に情報を回復することに使用され、前記ホッピング関数は、異なる式を使用し、前記両方のホッピング関数は、セルおよびセクタ識別子情報を制御入力として使用する請求項４４に記載の方法。
【請求項４６】
前記第１の時間期間の間の前記ホッピング関数は、トーンサブセットホッピング関数であり、前記第２の時間期間の間の前記ホッピング関数は、物理トーンホッピング関数に対する論理チャネルトーンである請求項４５に記載の方法。
【請求項４７】
トーンのブロックで通信された情報を回復することができる無線端末であって、前記無線端末は、
基地局取り付けポイント送信器の繰り返す第３の時間期間に対するタイミング同期情報を決定するための時間同期決定モジュールと、
前記決定されたタイミング同期情報を使用してダウンリンク受信を同期化するためのタイミング同期調整モジュールと、
前記第３の時間期間における第１の時間期間を識別するための第１の時間期間識別モジュールと、
前記第１の取り付けポイント送信器に対応する第１のトーンサブセットホッピングシーケンスを使用して前記第１の時間期間の間に通信された、受信されたストリップシンボルを回復しかつ処理するための第１の時間期間処理モジュールとを備え、前記第１の時間期間は、前記第３の時間期間内にあり、前記第１のトーンサブセットホッピングシーケンスは、第１の時間期間ではない前記第３の時間期間内で使用されない無線端末。
【請求項４８】
前記受信されたストリップシンボルは、ヌルトーンのサブセットおよび非ヌルトーンのサブセットを使用して前記基地局取り付けポイント送信器によって伝送された、伝送されたＯＦＤＭシンボルに対応するＯＦＤＭシンボルであり、前記ヌルトーンのサブセットは、前記トーンブロック内の前記トーンの少なくとも３０％であり、前記非ヌルトーンのサブセットは、通信された同報通信制御情報に使用される請求項４７に記載の無線端末。
【請求項４９】
前記第１の時間期間処理モジュールは、前記第３の時間期間内で前記識別された第１の時間期間の関数として第１の時間期間トーンサブセットインデックスを決定するための第１の時間期間トーンサブセットインデックス決定モジュールを含む請求項４８に記載の無線端末。
【請求項５０】
前記第１の時間期間サブセットインデックスは、それぞれヌルトーンおよび非ヌルトーンへの前記トーンブロックの異なる区分に対応する複数の所定の第１の時間期間サブセットインデックス値の１つであり、前記無線端末はさらに、
所定のヌルトーンサブセットおよび所定の非ヌルトーンサブセットに第１の時間期間サブセットインデックス値を関連付ける格納されたサブセットインデックスマッピング情報を備える請求項４９に記載の無線端末。
【請求項５１】
前記第１の時間期間トーンサブセットインデックス決定モジュールは、セル識別子情報およびセクタ識別子情報の少なくとも１つの関数として第１の時間期間トーンサブセットインデックスを決定する請求項５０に記載の無線端末。
【請求項５２】
前記第１の時間期間トーンサブセットインデックス決定モジュールは、式ｆ（ｂｓｓＳｌｏｐｅＩｎｄｅｘ，ｂｓｓＳｅｃｔｏｒＴｙｐｅ，ｋ）＝（ｂｓｓＳｌｏｐｅＩｎｄｅｘ＋１）／（ｂｓｓＳｅｃｔｏｒＴｙｐｅ＊ｋ＋ｋ２）に従って決定し、ここで、
ｆ（ｂｓｓＳｌｏｐｅＩｎｄｅｘ，ｂｓｓＳｅｃｔｏｒＴｙｐｅ，ｋ）は、ｂｓｓＳｌｏｐｅＩｎｄｅｘ値およびｂｓｓＳｅｃｔｏｒＴｙｐｅ値を有する基地局セクタについて、ストリップシンボルｋにおいて選択されるべき前記トーンサブセットの前記インデックスを表し、
各算術演算子（＋，２，＊，／）は、Ｎの領域で規定され、Ｎは素数であり、
ｂｓｓＳｌｏｐｅＩｎｄｅｘは、{０，１，・・・，Ｎ１−１}に対する値のセット内の局所的に唯一のセル識別子値であり、ここで、Ｎ１≦Ｎであり、Ｎ１はゼロではない正の整数であり、
ｂｓｓＳｅｃｔｏｒＴｙｐｅは、セット{０，１，・・・，５}、{０，１}および{０，１，２}の中の１つからの前記セクタのセクタ識別子値インデックスであり、
ｆは、基地局のセクタにおける関数であり、
ｋは、負ではない整数である請求項５１に記載の無線端末。
【請求項５３】
前記第１の時間期間処理モジュールは、１／３の時間期間の間に各複数の異なる索引が付けられた第１の時間期間に関する個別のストリップシンボルを回復しかつ処理する請求項４７に記載の無線端末。
【請求項５４】
第２の時間期間の間にユーザデータを含むＯＦＤＭシンボルを受信し処理するための第２の時間期間処理モジュールをさらに備え、前記第２の時間期間は、前記第３の時間期間内にあり、前記第２の時間期間は、第１の時間期間の持続期間の少なくとも１０倍の持続期間を有する請求項５３に記載の無線端末。
【請求項５５】
前記第１の時間期間処理モジュールおよび前記第２の時間期間処理モジュールは、第１および第２の両方の時間期間の間の情報の回復にホッピング関数を使用し、前記ホッピング関数は、異なる式を使用し、前記両方のホッピング関数は、セルおよびセクタ識別子情報を制御入力として使用する請求項５４に記載の無線端末。
【請求項５６】
前記第１の時間期間の間の前記ホッピング関数は、トーンサブセットホッピング関数であり、前記第２の時間期間の間の前記ホッピング関数は、物理トーンホッピング関数に対する論理チャネルトーンである請求項５５に記載の無線端末。
【請求項５７】
トーンのブロックで通信された情報を回復することができる無線端末であって、前記無線端末は、
基地局取り付けポイント送信器の繰り返す第３の時間期間に対するタイミング同期情報を決定するための手段と、
前記決定されたタイミング同期情報を使用してダウンリンク受信を同期化するためのタイミング同期手段と、
前記第３の時間期間における第１の時間期間を識別するための第１の時間期間識別手段と、
前記第１の取り付けポイント送信器に対応する第１のトーンサブセットホッピングシーケンスを使用して前記第１の時間期間の間に通信された、受信されたストリップシンボルを回復しかつ処理するための第１の時間期間処理手段とを備え、前記第１の時間期間は、前記第３の時間期間内にあり、前記第１のトーンサブセットホッピングシーケンスは、第１の時間期間ではない前記第３の時間期間内で使用されない無線端末。
【請求項５８】
前記受信されたストリップシンボルは、ヌルトーンのサブセットおよび非ヌルトーンのサブセットを使用して前記基地局取り付けポイント送信器によって伝送された、伝送されたＯＦＤＭシンボルに対応するＯＦＤＭシンボルであり、前記ヌルトーンのサブセットは、前記トーンブロック内の前記トーンの少なくとも３０％であり、前記非ヌルトーンのサブセットは、通信された同報通信制御情報に使用される請求項５７に記載の無線端末。
【請求項５９】
前記第１の時間期間処理モジュールは、前記第３の時間期間内で前記識別された第１の時間期間の関数として第１の時間期間トーンサブセットインデックスを決定するための第１の時間期間トーンサブセットインデックス決定モジュールを含む請求項５８に記載の無線端末。
【請求項６０】
前記第１の時間期間サブセットインデックスは、それぞれヌルトーンおよび非ヌルトーンへの前記トーンブロックの異なる区分に対応する複数の所定の第１の時間期間サブセットインデックス値の１つであり、前記無線端末はさらに、
所定のヌルトーンサブセットおよび所定の非ヌルトーンサブセットに第１の時間期間サブセットインデックス値を関連付ける格納されたサブセットインデックスマッピング情報を備える請求項５９に記載の無線端末。
【請求項６１】
前記第１の時間期間トーンサブセットインデックス決定モジュールは、セル識別子情報およびセクタ識別子情報の少なくとも１つの関数として第１の時間期間トーンサブセットインデックスを決定する請求項５９に記載の無線端末。
【請求項６２】
前記第１の時間期間トーンサブセットインデックス決定モジュールは、式ｆ（ｂｓｓＳｌｏｐｅＩｎｄｅｘ，ｂｓｓＳｅｃｔｏｒＴｙｐｅ，ｋ）＝（ｂｓｓＳｌｏｐｅＩｎｄｅｘ＋１）／（ｂｓｓＳｅｃｔｏｒＴｙｐｅ＊ｋ＋ｋ２）に従って決定し、ここで、
ｆ（ｂｓｓＳｌｏｐｅＩｎｄｅｘ，ｂｓｓＳｅｃｔｏｒＴｙｐｅ，ｋ）は、ｂｓｓＳｌｏｐｅＩｎｄｅｘ値およびｂｓｓＳｅｃｔｏｒＴｙｐｅ値を有する基地局セクタについて、ストリップシンボルｋにおいて選択されるべき前記トーンサブセットの前記インデックスを表し、
各算術演算子（＋，２，＊，／）は、Ｎの領域で規定され、Ｎは素数であり、
ｂｓｓＳｌｏｐｅＩｎｄｅｘは、{０，１，・・・，Ｎ１−１}に対する値のセット内の局所的に唯一のセル識別子値であり、ここで、Ｎ１≦Ｎであり、Ｎ１はゼロではない正の整数であり、
ｂｓｓＳｅｃｔｏｒＴｙｐｅは、セット{０，１，・・・，５}、{０，１}および{０，１，２}の中の１つからの前記セクタのセクタ識別子値インデックスであり、
ｆは、基地局のセクタにおける関数であり、
ｋは、負ではない整数である請求項６１に記載の無線端末。
【請求項６３】
前記第１の時間期間処理モジュールは、１／３の時間期間の間に各複数の異なる索引が付けられた第１の時間期間に関する個別のストリップシンボルを回復しかつ処理する請求項５７に記載の無線端末。
【請求項６４】
そこに格納された機械実行可能な命令を含む機械可読媒体であって、前記機械実行可能な命令は、実行されたとき、以下のステップを実施するように無線端末を制御し、すなわち、
基地局取り付けポイント送信器の繰り返す第３の時間期間に対するタイミング同期情報を決定するステップと、
前記決定されたタイミング同期情報を使用してダウンリンク受信を同期化するステップと、
前記第３の時間期間における第１の時間期間を識別するステップと、
前記第１の取り付けポイント送信器に対応する第１のトーンサブセットホッピングシーケンスを使用して前記第１の時間期間の間に通信された、受信されたストリップシンボルを回復しかつ処理するステップとであり、前記第１の時間期間は、前記第３の時間期間内にあり、前記第１のトーンサブセットホッピングシーケンスは、第１の時間期間ではない前記第３の時間期間内で使用されない機械可読媒体。
【請求項６５】
前記受信されたストリップシンボルは、ヌルトーンのサブセットおよび非ヌルトーンのサブセットを使用して前記基地局取り付けポイント送信器によって伝送された、伝送されたＯＦＤＭシンボルに対応するＯＦＤＭシンボルであり、前記ヌルトーンのサブセットは、前記トーンブロック内の前記トーンの少なくとも３０％であり、前記非ヌルトーンのサブセットは、通信された同報通信制御情報に使用される請求項６４に記載の機械可読媒体。
【請求項６６】
前記機械実行可能な命令は、前記第３の時間期間内で前記識別された第１の時間期間の関数として第１の時間期間トーンサブセットインデックスを決定するように前記無線端末を制御する命令をさらに含む請求項６４に記載の機械可読媒体。
【請求項６７】
前記第１の時間期間サブセットインデックスは、それぞれヌルトーンおよび非ヌルトーンへの前記トーンブロックの異なる区分に対応する複数の所定の第１の時間期間サブセットインデックス値の１つであり、前記機械可読媒体はさらに、
所定のヌルトーンサブセットおよび所定の非ヌルトーンサブセットに第１の時間期間サブセットインデックスを関連付ける格納されたサブセットインデックスマッピング情報をさらに備える請求項６６に記載の機械可読媒体。
【請求項６８】
前記格納された命令は、セル識別子情報およびセクタ識別子情報の少なくとも１つの関数として第１の時間期間トーンサブセットインデックスを決定するように前記無線端末を制御する命令を含む請求項６６に記載の機械可読媒体。
【発明の詳細な説明】
【技術分野】
【０００１】
本出願は、参照によって本明細書にはっきりと組み込まれる、２００６年４月１４日に出願された米国特許仮出願公開第６０／７９２２９１号の恩恵を主張する。
【０００２】
本発明は、通信システムに関し、より詳細には無線通信システムで使用されるトーン（tone）を割り当てる方法および装置に関する。
【背景技術】
【０００３】
セルラ（cellular）無線システムにおいて、サービスエリア（service area）は、一般にセルと呼ばれる複数のカバレジ（coverage）ゾーンに分割される。各セルは、複数のセクタにさらに再分割されることができる。セル内の無線端末は、セルを受け持つ基地局と通信する。無線端末は、例えば、セルホン（cell phone）および無線モデムを有する携帯情報端末などの他の移動体送信器を含む広範囲な移動体デバイスを含むことができる。
【０００４】
知られているセルラ通信システムでの問題は、セルの１つのセクタにおける基地局による伝送が、同じセルの隣接するセクタ内または近隣のセル内の基地局による伝送と衝突することがある。例えば、直交周波数分割多重化された（ＯＦＤＭ）システムは、所与の帯域を占め、それを、データを伝送するために使用されることができる多数の均一に離間されたトーンに分ける。重なり合うセクタおよび／またはセル内の基地局による伝送が、同一のトーンまたはトーンのセットを使用するとき、干渉が、隣接するセクタ内および／または近隣のセル内の基地局による動作に起因して、時間の期間にわたって生じることがある。この問題は、伝送が周期的またはほぼ周期的である場合に、特に顕著である。
【０００５】
周期的またはほぼ周期的な状況において、隣接するセクタおよび／またはセル内の基地局によって引き起こされる相互干渉は、非常に相関されることがある。例えば、第１のセクタに対応する基地局Ａによって使用されるトーンが、隣接するセクタに対応する他の基地局Ｂによって使用されるトーンと同じであるとき、次の伝送期間において、トーンが、同じ関数を使用して指定されかつ周期的に繰り返される場合に、基地局Ａによって使用されるトーンが、再び基地局Ｂによって使用されるトーンと同じになる。このタイプの相関された干渉は、同じ２つの基地局によって伝送される信号を、時間の長い期間にわたって互いに繰り返して干渉させることがある。無線端末が、２つの基地局間の重なり合うエリア内に位置するなら、無線端末の受信器は、時間の長い期間についてダウンリンク信号から信号を正確に検出できないことがある。
【０００６】
相関されたまたは延長された干渉の危険性を低減するために、相関された干渉の危険性を最小化する態様で、近隣のセクタおよびセル内の基地局にトーンを割り当てることを可能にするなら有益である。
【０００７】
上記議論に鑑み、無線通信システムの隣接するセルおよび近隣のセルで生じる伝送間の衝突の可能性を最小化する必要があることは明らかになる。隣接するセクタまたは近隣のセル内の任意の所与の基地局からの伝送が、通信信号が任意の特定のデバイスのために妨げられる延長した期間を避けるために、繰り返し制御されかつ／または最小化されて衝突することが望ましい。
【発明の開示】
【発明の概要】
【０００８】
本明細書に記載される方法および装置は、例えば、マルチトーンマルチセクタ、マルチセル通信システムにおけるなど様々な通信システムにおける通信目的のために、トーンサブセットを割り当てかつ使用するためのものである。システムは、直交周波数分割多重化（ＯＦＤＭ）システムであり得る。ＯＦＤＭ通信システムは、データおよび制御信号を伝送するためにトーンのセットを含む。ＯＦＤＭシステムは、同時にシステムの各セクタおよび／または各セル内で同じトーンのセットを使用することができる。例示的な実施形態において、様々な特徴が、しばしばストリップシンボル期間と呼ばれる、ＯＦＤＭシンボル伝送期間の特定のセット内のトーンサブセット割り当てを対処する。トーンの割り当ては、非ストリップシンボル期間の間に対するストリップシンボル期間の間の差異であることができ、およびしばしば差異である。
【０００９】
様々な実施形態に従って、各ストリップシンボル期間において、送信器は、データおよび／または制御信号を伝送するためにトーンの全数のサブセットを使用する。一つの例示的な実施形態において、２つの連続するストリップシンボル期間において、送信器は、それぞれトーンの２つの異なるサブセット、例えば非ヌルトーンの異なるセットを使用する。２つのサブセットの一方内であるが、２つのサブセットの他方内ではない少なくとも１つのトーンが存在するなら、トーンの２つのセットは異なる。
【００１０】
異なるストリップシンボル期間で使用されるべきトーンのサブセットのグループ分けは、まとめてトーンサブセットのセットと呼ばれる。文字、例えば個別トーンサブセットの全数を表すために使用されるＮによって、個別トーンサブセットの全数を表すことが可能である。
【００１１】
例示的なＯＦＤＭ通信システムは、それぞれ所定の地理学的エリアにおけるサービスを提供する責任がある複数の基地局送信器を含む。隣接する地理学的エリアに及ぶ異なる基地局送信器からの信号は、互いに干渉することがある。延長され時間期間にわたる広範な干渉を避けるために、それら基地局送信器は、ストリップシンボル期間におけるトーンサブセットを選択する異なるシーケンスを使用し、それによって、例えば、２つの局所的な、例えば隣接する基地局送信器が、１つのストリップシンボル期間における同一のトーンサブセットを偶然選択し、結果として衝突と呼ばれるものを生じるなら、それらは、以降のストリップシンボル期間において再び同一のトーンサブセットを選択しない。有利に、最悪の場合の干渉は、様々な実施形態の特徴を使用して最小化される。
【００１２】
様々な実施形態に従って、トーンサブセット割り当てシーケンスは、周期的である。いくつかの実施形態において、各基地局送信器は、同一の期間長さのトーンサブセット割り当てシーケンスを使用する。一つの実施形態において、期間長さは、Ｎ個のストリップシンボル伝送期間を含む時間間隔に等しく、ここでＮは、トーンサブセットの全数である。さらにいくつかの実施形態において、基地局送信器は、トーンサブセット割り当てシーケンスを切り詰め、送信器が、その長さがシーケンスの少なくとも１つの全期間を超える時間間隔について、トーンサブセット割り当てシーケンス発生器（sequence generator）を動作した後、再びシーケンスの始まりから開始する。
【００１３】
いくつかの実施形態に従って、トーンサブセット割り当てシーケンスは、僅かな数のパラメータ、例えば僅かな数の入力制御パラメータを使用して各基地局送信器で生成される。いくつかの実施形態において、異なる基地局は、トーンサブセット割り当てシーケンスを生成するために、同一の方法、例えば式であるが、それらパラメータの異なる値を使用する。いくつかの実施形態において、少なくともいくかのこれらパラメータは、ストリップシンボル期間ではない他のＯＦＤＭシンボル伝送期間における周波数（トーン）ホッピングを決定するために使用される同一のパラメータである。
【００１４】
一つの例示的な実施形態において、制御パラメータは、セルおよび／またはセクタ識別子情報、例えば基地局送信器のスロープおよびセクタタイプを用いて決定されることができる。
【００１５】
一つの特定の例示的な実施形態において、トーンサブセット割り当てシーケンス発生器が、次に記載される。他の実施形態も可能である。実施例として使用される特定の例示的な実施形態において、第１の基地局の第１のセクタのための送信器は、複数の各Ｐ個のシーケンシャルストリップシンボル期間の間に一回、１つのトーンサブセットを割り当てる。２つの順次連続するストリップシンボル期間において割り当てられたトーンサブセットは異なる。第１のセクタに関する第１の基地局によるトーンの割り当ては、第１の関数に従って実行される。第１の関数に従うトーンサブセットの割り当ては、Ｐ個のストリップシンボル期間の後で繰り返す。Ｐ個のストリップシンボル期間の時間間隔内に、トーンサブセットの割り当てが繰り返す、少なくとも２つの重なり合わない時間サブ間隔（time sub-interval）が存在し、前記時間サブ間隔は、少なくとも５つのストリップシンボル期間を含む。第１のセクタとは異なる第１の基地局の第２のセクタのための送信器は、複数の各Ｐ個のシーケンシャルストリップシンボル期間の間に一回、１つのトーンサブセットを割り当てる。２つの順次連続するストリップシンボル期間において割り当てられたトーンサブセットは異なる。第２のセクタに関する第１の基地局によるトーンの割り当ては、第２の関数に従って実行される。第２の関数に従うトーンサブセットの割り当ては、Ｐ個のストリップシンボル期間の後で繰り返す。Ｐ個のストリップシンボル期間の時間間隔内に、トーンサブセットの割り当てが繰り返す、少なくとも２つの重なり合わない時間サブ間隔が存在し、前記時間サブ間隔は、少なくとも５つのストリップシンボル期間を含む。
【００１６】
特定の実施例において、第１の基地局とは異なる第２の基地局のセクタのための送信器も使用されることができる。第２の基地局の送信器のセクタは、セクタ送信器が、複数の各Ｐ個のシーケンシャルストリップシンボル期間の間に一回、１つのトーンサブセットを割り当てる第３のセクタであり得る。２つの順次連続するストリップシンボル期間において割り当てられたトーンサブセットは異なる。第３のセクタに関する第２の基地局によるトーンの割り当ては、第３の関数に従って実行される。第３の関数に従うトーンサブセットの割り当ては、Ｐ個のストリップシンボル期間の後で繰り返す。Ｐ個のストリップシンボル期間の時間間隔内に、トーンサブセットの割り当てが繰り返す、少なくとも２つの重なり合わない時間サブ間隔が存在し、前記時間サブ間隔は、少なくとも５つのストリップシンボル期間を含む。第１の基地局の第１および第２のセクタは、隣接セクタであり得る。さらに、第１および第２の基地局は、隣接基地局であり得る。
【００１７】
第１の関数と第２の関数との差異は、シーケンスにサブセットトーンを割り当てるために使用される関数を実施するとき、第１のセクタと第２のセクタとを識別するために、第１の基地局によって異なる定数値の使用と同じほど単純であり得る。基地局のトーンサブセット割り当て関数を実施するために使用される定数値は、基地局のメモリ内、ならびに基地局を含むセル内の無線端末のメモリ内に格納されることができる。
【００１８】
第１の関数と第３の関数との差異、または第２の関数と第３の関数との差異は、シーケンスにトーンサブセットを割り当てるために使用される関数を実施するとき、第１および第２の基地局それぞれによって異なる定数値の使用と同じほど単純であり得る。基地局のトーン割り当て関数を実施するために使用される定数値は、基地局のメモリ内、ならびに基地局を含むセル内の無線端末のメモリ内に格納されることができる。
【００１９】
一つの例示的な実施形態において、シーケンスにトーンサブセットを割り当てるために使用されるトーンサブセット割り当て関数は、以下のように記載されることができる。トーンサブセットのセットにおいて、全てのトーンサブセットが、０、１、・・・、Ｎ−１として索引が付けられる。ストリップシンボル期間のセットにおいて、各ストリップシンボル期間も、０、１、２、・・・と索引が付けられる。
【００２０】
一つの例示的な実施形態において、Ｎは素数である。例えば、Ｎ＝９７である。以下の公式は、ストリップシンボルｋにおいて選択されるべきトーンサブセットのインデックスを決定するために使用されることができる。
【００２１】
ｆ（ｂｓｓＳｌｏｐｅＩｎｄｅｘ，ｂｓｓＳｅｃｔｏｒＴｙｐｅ，ｋ）＝（ｂｓｓＳｌｏｐｅＩｎｄｅｘ＋１）／（ｂｓｓＳｅｃｔｏｒＴｙｐｅ＊ｋ＋ｋ２）が、ストリップシンボルｋにおいて選択されるべきトーンサブセットのインデックスを表し、ここで、全ての算術演算子（＋，２，＊，／）は、Ｎの領域で規定される。
【００２２】
ｂｓｓＳｌｏｐｅＩｎｄｅｘは、セルスロープ値のインデックスであり、好ましくはセルの各セクタについて同一であり、隣接するセルは、ｂｓｓＳｌｏｐｅＩｎｄｅｘについて異なる値を有するべきである。パラメータｂｓｓＳｌｏｐｅＩｎｄｅｘは、０，１，・・・，Ｎ１−１に等しく、ここでＮ１≦Ｎである、一つの実施形態において、Ｎ１＝９６である。
【００２３】
ｂｓｓＳｅｃｔｏｒＴｙｐｅは、セクタのインデックスである。セクタタイプＴが、セット{０，１，・・・，５}、{０，１}または{０，１，２}内であると仮定する。所与の基地局における隣接するセクタは、Ｔの異なる値を有するべきである。
【００２４】
ｆは、基地局のセクタにおける特定の関数である。
【００２５】
ｋは、ストリップシンボル期間のインデックスである。
【００２６】
ｂｓｓＳｅｃｔｏｒＴｙｐｅおよびｂｓｓＳｌｏｐｅＩｎｄｅｘの所与の対について、上記式は、Ｎ個のストリップシンボル期間の期間を有する。
【００２７】
基地局の隣接するセクタにおいて異なる定数値ｂｓｓＳｅｃｔｏｒＴｙｐｅを有する上記関数を使用すると、隣接するセクタのシーケンス間の衝突の回数を、Ｎ個のストリップシンボル期間の期間の間に多くとも１回であるように制限することができる。
【００２８】
近接する基地局において異なる定数値ｂｓｓＳｌｏｐｅＩｎｄｅｘを有する上記関数を使用すると、近接する基地局のシーケンス間の衝突の回数を、Ｎ個のストリップシンボル期間の期間の間に多くとも２回であるように制限することができる。
【００２９】
いくつかの実施形態において、トーンサブセット割り当てシーケンスは、送信器が、その長さがシーケンスの１つの全期間を超える時間間隔についてシーケンス発生器を動作した後、切り詰められ、かつ再開始され、このように所定のフレーム同期を可能にする。この場合、ＰはＮ以上であり、素数であるかまたは素数でないかのいずれかであることができる。必ずしも全てではない一つの例示的な実施形態において、Ｐ＝１８０である。
【００３０】
いくつかの実施形態において、トーンサブセット割り当てシーケンスは、基地局によって伝送される信号によるフレーム同期に対して同期化されることができる。フレーム同期がビーコン信号によって提供される場合において、トーンサブセット割り当てシーケンスの２つの連続する切り詰め時間瞬間の間に、すなわちＰ個のストリップシンボル期間の時間間隔の間に複数のビーコン信号が存在することがある。
【００３１】
様々な実施形態の関数は、ハードウェア、ハードウェアとソフトウェアの組み合わせのソフトウェアを使用して実施されることができる。トーン割り当てチャートは、１回計算され、割り当て情報の再計算が、連続する原則で実行される必要がないように、基地局および／または移動体ノードに格納されることができる。そのような実施形態において、トーンおよびトーンシーケンスの割り当ては、関数が、割り当てプロセスの間に実時間で実行されないとしても、関数に従ってまだ実行される。
【００３２】
様々な実施形態が、上記概要で議論されたが、必ずしも全ての実施形態が、同一の特徴を含まず、上記に記載されたいくつかの特徴は、必要ではないが、いくつかの実施形態において望ましいことがあることは理解されるべきである。様々な実施形態の様々な方法および装置の多数の追加の特徴、利点、および詳細は、以下の詳細な記載で議論される。
【詳細な説明】
【００３３】
トーンサブセット割り当てのために記載される方法および装置は、広範な通信システムで使用されることができる。例えば、様々な特徴は、システムで使用されることができ、このシステムは、モデムを備えるノートブックコンピュータ、ＰＤＡ、およびデバイス移動度のために無線干渉をサポートする広範な他のデバイスなどの移動体通信デバイスをサポートする。
【００３４】
図１は、セル１  １０２、セルＭ  １０４である複数のセルを含む様々な実施形態に従って実施された例示的な通信システム１００を示す。近隣のセル１０２、１０４は、セル境界領域１６８によって示されるように僅かに重なり合い、それによって近隣のセルにおける基地局によって伝送される信号間の信号干渉の可能性を提供することに留意されたい。例示的システム１００の各セル１０２、１０４は、３つのセクタを含む。複数のセクタに再分割されていない（Ｎ＝１）セル、２つのセクタを有する（Ｎ＝２）セル、および３つより多いセクタを有する（Ｎ＞３）セルも、様々な実施形態に従って可能である。セル１０２は、第１のセクタであるセクタ１  １１０、第２のセクタであるセクタ２  １１２、および第３のセクタであるセクタ３  １１４を含む。各セクタ１１０、１１２、１１４は、２つのセクタ境界領域を有し、各セクタ境界領域は、２つの隣接するセクタ間で共有される。セクタ境界領域は、近隣のセクタにおける基地局によって伝送された信号間の信号干渉の可能性を提供する。ライン１１６は、セクタ１  １１０とセクタ２  １１２との間のセクタ境界領域を表し、ライン１１８は、セクタ２  １１２とセクタ３  １１４との間のセクタ境界領域を表し、ライン１２０は、セクタ３  １１４とセクタ１  １１０との間のセクタ境界領域を表す。同様に、セルＭ  １０４は、第１のセクタであるセクタ１  １２２、第２のセクタであるセクタ２  １２４、および第３のセクタであるセクタ３  １２６を含む。ライン１２８は、セクタ１  １２２とセクタ２  １２４との間のセクタ境界領域を表し、ライン１３０は、セクタ２  １２４とセクタ３  １２６との間のセクタ境界領域を表し、ライン１３２は、セクタ３  １２６とセクタ１  １２２との間のセクタ境界領域を表す。セル１  １０２は、基地局（ＢＳ）である基地局１  １０６と、各セクタ１１０、１１２、１１４内の複数のエンドノード（ＥＮ）を含む。セクタ１  １１０は、それぞれ無線リンク１４０、１４２を介してＢＳ１０６に結合されたＥＮ（１）１３６およびＥＮ（Ｘ）１３８を含み、セクタ２  １１２は、それぞれ無線リンク１４８、１５０を介してＢＳ１０６に結合されたＥＮ（１’）１４４およびＥＮ（Ｘ’）１４６を含み、セクタ３  １１４は、それぞれ無線リンク１５６、１５８を介してＢＳ１０６に結合されたＥＮ（１”）１５２およびＥＮ（Ｘ”）１５４を含む。同様に、セルＭ  １０４は、基地局Ｍ  １０８と、各セクタ１２２、１２４、１２６内の複数のエンドノード（ＥＮ）を含む。セクタ１  １２２は、それぞれ無線リンク１４０’、１４２’を介してＢＳＭ  １０８に結合されたＥＮ（１）１３６’およびＥＮ（Ｘ）１３８’を含み、セクタ２  １２４は、それぞれ無線リンク１４８’、１５０’を介してＢＳＭ  １０８に結合されたＥＮ（１’）１４４’およびＥＮ（Ｘ’）１４６’を含み、セクタ３  １２６は、それぞれ無線リンク１５６’、１５８’を介してＢＳ１０８に結合されたＥＮ（１”）１５２’およびＥＮ（Ｘ”）１５４’を含む。システム１１０は、それぞれネットワークリンク１６２、１６４を介してＢＳ１  １０６およびＢＳＭ  １０８に結合されたネットワークノード１６０も含む。ネットワークノード１６��は、他のネットワークノード、例えば、他の基地局、ＡＡＡサーバノード、中間ノード、ルータなどおよびネットワークリンク１６６を介してインターネットとも結合される。ネットワークリンク１６２、１６４、１６６は、例えばファイバ光ケーブルであることができる。各エンドノード、例えばＥＮ１  １３６は、送信器ならびに受信器を含む無線端末であることができる。無線端末、例えばＥＮ（１）１３６は、システム１００を通って移動することができ、かつＥＮが現在位置するセル内の基地局と無線リンクを介して通信することができる。無線端末（ＷＴ）、例えばＥＮ（１）１３６は、ピアノード、例えばシステム１００内の他のＷＴと、または基地局、例えばＢＳ１０６および／またはネットワークノード１６０を介して外部システム１００と通信することができる。ＷＴ、例えばＥＮ（１）１３６は、セルホン、無線モデムを有する携帯情報端末など移動体通信デバイスであることができる。各基地局は、トーン割り当てに用いられた方法とは異なるストリップシンボル期間のための方法を使用して、かつ残るシンボル期間、例えば非ストリップシンボル期間におけるトーンホッピングを決定して、トーンサブセット割り当てを実行する。無線端末は、特定のストリップシンボル期間でデータおよび情報を受信するために使用することができるトーンを決定するために、基地局から受信した情報、例えば基地局スロープＩＤ、セクタＩＤ情報とともに、トーンサブセット割り当て方法を使用する。様々な実施形態に従って、各トーンを横切るセクタ間およびセル間干渉を拡散するために、トーンサブセット割り当てシーケンスが構築される。
【００３５】
図２は、様々な実施形態に従う例示的な基地局２００を示す。例示的な基地局２００は、トーンサブセット割り当てシーケンスを実施し、異なるトーンサブセット割り当てシーケンスが、セルの各異なるセクタタイプについて生成される。基地局２００は、図１のシステム１００の基地局１０６、１０８の任意の１つとして使用されることができる。基地局２００は、受信器２０２、送信器２０４、プロセッサ２０６、例えばＣＰＵ、入力／出力インタフェース２０８、およびメモリ２１０を含み、これらは、様々な要素２０２、２０４、２０６、２０８、および２１０が、データおよび情報を交換することができるバス２０９によって共に結合される。
【００３６】
受信器２０２に結合されたセクタ化されたアンテナ（sectorized antenna）２０３は、基地局のセル内の各セクタからの無線端末伝送から、データおよび他の信号、例えばチャネルレポート（channel report）を受信するために使用される。送信器２０４に結合されたセクタ化されたアンテナ２０５は、基地局のセル内の各セクタ内の無線端末３００（図３参照）へ、データおよび他の信号、例えば制御信号、パイロット信号、ビーコン信号などを伝送するために使用される。様々な実施形態において、基地局２００は、複数の受信器２０２および複数の送信器２０４、例えば各セクタのために個別の受信器２０２および各セクタのために個別の送信器２０４を用いることができる。プロセッサ２０６は、例えば汎用中央処理ユニット（ＣＰＵ）であり得る。プロセッサ２０６は、メモリ２１０内に格納された１つ以上のルーチン２１８の管理の下で基地局２００の動作を制御し、かつ方法を実施する。Ｉ／Ｏインタフェース２０８は、ＢＳ２００を他の基地局、アクセスルータ、ＡＡＡサーバノードなどへ結合する他のネットワークノード、他のネットワーク、およびインターネットへの接続を提供する。メモリ２１０は、ルーチン２１８およびデータ／情報２２０を含む。
【００３７】
データ／情報２２０は、データ２３６、ダウンリンクストリップシンボル時間情報２４０およびダウンリンクトーン情報２４２を含むトーンサブセット割り当てシーケンス情報２３８、複数のＷＴ情報のセット、すなわちＷＴ１情報２４６およびＷＴＮ情報２６０を含む無線端末（ＷＴ）データ／情報２４４を含む。ＷＴ情報の各セット、例えばＷＴ１情報２４６は、データ２４８、端末ＩＤ２５０、セクタＩＤ２５２、アップリンクチャネル情報２５４、ダウンリンクチャネル情報２５６、およびモード情報２５８を含む。
【００３８】
ルーチン２１８は、通信ルーチン２２２および基地局制御ルーチン２２４を含む。基地局制御ルーチン２２４は、スケジューラモジュール２２６およびシグナリングルーチン２２８を含み、シグナリングルーチン２２８は、ストリップシンボル期間のためのトーンサブセット割り当てルーチン２３０、シンボル期間の残り、例えば非ストリップシンボル期間のための他のダウンリンクトーン割り当てホッピングルーチン２３２、およびビーコンルーチン２３４を含む。
【００３９】
データ２３６は、ＷＴへの伝送前に符号化するために送信器２０４の符号器２１４へ送られ、かつ受信に続く受信器２０２の復号器２１２によって処理されたＷＴからのデータが受信される、伝送されるべきデータを含む。ダウンリンクストリップシンボル時間情報２４０は、スーパスロット、ビーコンスロット、およびウルトラスロット構造情報などのフレーム同期構造情報、および所与のシンボル期間がストリップシンボル期間であるかどうかを特定する情報であって、そうであれば、ストリップシンボル期間のインデックスであり、ストリップシンボルが、基地局によって使用されたトーンサブセット割り当てシーケンスを切り詰めるための再設定ポイントであるかどうかを含む。ダウンリンクトーン情報２４２は、基地局２００に指定されたキャリア周波数、トーンの数および周波数、およびストリップシンボル期間に割り当てられるトーンサブセットのセットを含む情報、およびスロープ、スロープインデックス、およびセクタタイプなどの他のセルおよびセクタの固有値を含む。
【００４０】
データ２４８は、ＷＴ１  ３００がピアノードから受信したデータ、ＷＴ１  ３００がピアノードへ伝送することを望むデータ、およびダウンリンクチャネル品質レポートフィードバック情報を含むことができる。端末ＩＤ２５０は、ＷＴ１  ３００を識別する基地局２００指定ＩＤである。セクタＩＤ２５２は、ＷＴ１  ３００が動作するセクタを識別する情報を含む。セクタＩＤ２５２は、例えばセクタタイプを決定するために使用されることができる。アップリンクチャネル情報２５４は、例えばデータに関するアップリンクトラフィックチャネルセグメント、要求のための専用アップリンク制御チャネル、パワー制御、タイミング制御などを使用するために、ＷＴ１  ３００のためのスケジューラ２２６によって割り当てられる情報識別チャネルセグメントを含む。ＷＴ１  ３００に指定された各アップリンクチャネルは、それぞれアップリンクホッピングシーケンスに続く１つ以上の論理トーン（logical tone）を含む。ダウンリンクチャネル情報２５６は、ＷＴ１  ３００へのデータおよび／または情報、例えばユーザデータのためのダウンリンクトラフィックチャネルセグメントを搬送するために、スケジューラ２２６によって割り当てられたチャネルセグメントを識別する情報を含む。ＷＴ１  ３００に指定された各ダウンリンクチャネルは、それぞれダウンリンクホッピングシーケンスに続く１つ以上の論理トーンを含む。モード情報２５８は、ＷＴ１  ３００の動作状態、例えばスリープ、ホールド、オンなどを識別する情報を含む。
【００４１】
通信ルーチン２２２は、様々な通信動作を実行しかつ様々な通信プロトコルを実施するように、基地局２００を制御する。
【００４２】
基地局制御ルーチン２２４は、基本的な基地局機能タスク、例えば信号生成および受信、スケジューリングを実行し、かつストリップシンボル期間の間にトーンサブセット割り当てシーケンスを使用して無線端末への信号伝送を含むいくつかの実施形態の方法のステップを実施するように、基地局２００を制御するために使用される。
【００４３】
シグナリングルーチン２２８は、その復号器２１２を有する受信器２０２、およびその符号器２１４を有する送信器２０４の動作を制御する。シグナリングルーチン２２８は、伝送されるデータ２３６および制御情報の生成を制御することに責任がある。トーンサブセット割り当てルーチン２３０は、実施形態の方法を使用し、かつダウンリンクストリップシンボル時間情報２４０およびセクタＩＤ２５２を含むデータ／情報２２０を使用して、ストリップシンボル期間で使用されるトーンサブセットを構築する。ダウンリンクトーンサブセット割り当てシーケンスは、セル内の各セクタタイプについて異なり、かつ隣接セルについて異なる。ＷＴ３００は、ダウンリンクトーンサブセット割り当てシーケンスに従うストリップシンボル期間内で信号を受信し、基地局２００は、伝送される信号を生成するために同一のダウンリンクトーンサブセット割り当てシーケンスを使用する。他のダウンリンクトーン割り当てホッピングルーチン２３２は、ダウンリンクトーン情報２４２、およびストリップシンボル期間とは異なるシンボル期間に関するダウンリンクチャネル情報２５６を含む情報を使用して、ダウンリンクトーンホッピングシーケンスを構築する。ダウンリンクデータトーンホッピングシーケンスは、セルのセクタを横切って同期化される。ビーコンルーチン２３４は、ビーコン信号、例えば１つまたは数個のトーンに集中される比較的高いパワーの信号の伝送を制御し、この信号は、同期化目的、例えばダウンリンク信号のフレームタイミング構造を同期化し、それによってウルトラスロット境界に対するトーンサブセット割り当てシーケンスを同期化するために使用されることができる。
【００４４】
図３は、図１に示されるシステム１００の無線端末（エンドノード）、例えばＥＮ（１）１３６の任意の１つとして使用されることができる例示的な無線端末（エンドノード）３００を示す。無線端末３００は、トーンサブセット割り当てシーケンスを実施する。無線端末３００は、復号器３１２を含む受信器３０２、符号器３１４を含む送信器３０４、プロセッサ３０６、およびメモリ３０８を含み、これらは、様々な要素３０２、３０４、３０６、および３０８が、データおよび情報を交換することができるバス３１０によって共に結合される。基地局２００からの信号を受信するために使用されるアンテナ３０３は、受信器３０２に結合される。例えば基地局２００に信号を伝送するために使用されるアンテナ３０５が、送信器３０４に結合される。
【００４５】
プロセッサ３０６、例えばＣＰＵは、無線端末３００の動作を制御し、かつルーチン３２０を実行しかつメモリ３０８内のデータ／情報３２２を使用することによって方法を実施する。
【００４６】
データ／情報３２２は、ユーザデータ３３４、ユーザ情報３３６、およびトーンサブセット割り当てシーケンス情報３５０を含む。ユーザデータ３３４は、基地局２００へ送信器３０４による伝送の前に符号化するための符号器３１４へルーティングされるピアノードに適したデータ、および受信器３０２内で復号器３１２によって処理された基地局２００から受信されるデータを含むことができる。ユーザ情報３３６は、アップリンクチャネル情報３３８、ダウンリンクチャネル情報３４０、端末ＩＤ情報３４２、基地局ＩＤ情報３４４、セクタＩＤ情報３４６、およびモード情報３４８を含む。アップリンクチャネル情報３３８は、基地局２００に伝送するときに使用するために、無線端末３００に関して基地局２００によって指定されたアップリンクチャネルセグメントを識別する情報を含む。アップリンクチャネルは、アップリンクトラフィックチャネル、専用アップリンク制御チャネル、例えば要求チャネル、パワー制御チャネル、およびタイミング制御チャネルを含むことができる。各アップリンクチャネルは、それぞれアップリンクトーンホッピングシーケンスに続く１つ以上の論理トーンを含む。アップリンクホッピングシーケンスは、セルの各セクタタイプ間および隣接するセル間で異なる。ダウンリンクチャネル情報３４０は、ＢＳ２００がＷＴ３００にデータ／情報を伝送するときに使用するために、ＷＴ３００に基地局２００によって指定されたダウンリンクチャネルセグメントを識別する情報を含む。ダウンリンクチャネルは、ダウンリンクトラフィックチャネルおよび割り当てチャネルを含むことができ、各ダウンリンクチャネルは、１つ以上の論理トーンを含み、各論理トーンは、セルの各セクタ間で同期化されるダウンリンクホッピングシーケンスに続く。
【００４７】
ユーザ情報３３６は、識別が指定された基地局２００である端末ＩＤ情報３４２、ＷＴが通信を確立した特定の基地局２００を識別する基地局ＩＤ情報３４４、およびＷＴ３００が現在位置するセルの特定のセクタを識別するセクタＩＤ情報３４６も含む。基地局ＩＤ３４４は、セルスロープ値を提供し、セクタＩＤ情報３４６は、セクタインデックスタイプを提供し、セルスロープ値およびセクタインデックスタイプは、トーンホッピングシーケンスを駆動するために使用されることができる。ユーザ情報３３６にも含まれるモード情報３４８は、ＷＴ３００は、スリープモード、ホールドモード、またはオンモードにあるかどうかを識別する。
【００４８】
トーンサブセット割り当てシーケンス情報３５０は、ダウンリンクストリップシンボル時間情報３５２およびダウンリンクトーン情報３５４を含む。ダウンリンクストリップシンボル時間情報３５２は、スーパスロット、ビーコンスロット、ウルトラスロット構造情報などのフレーム同期構造情報、および所与のシンボル期間がストリップシンボル期間であるかどうかを特定する情報であって、そうであれば、ストリップシンボル期間のインデックスであり、ストリップシンボルが、基地局によって使用されたトーンサブセット割り当てシーケンスを切り詰めるための再設定ポイントであるかどうかを含む。ダウンリンクトーン情報３５４は、基地局２００に指定されたキャリア周波数、トーンの数および周波数、およびストリップシンボル期間に割り当てられるトーンサブセットのセットを含む情報、およびスロープ、スロープインデックス、およびセクタタイプなどの他のセルおよびセクタの固有値を含む。
【００４９】
ルーチン３２０は、通信ルーチン３２４および無線端末制御ルーチン３２６を含む。通信ルーチン３２４は、ＷＴ３００によって使用される様々な通信プロコトルを制御する。無線端末制御ルーチン３２６は、受信器３０２および送信器３０４の制御を含む基本的な無線端末３００の機能性を制御する。無線端末制御ルーチン３２６は、シグナリングルーチン３２８を含む。シグナリングルーチン３２８は、ストリップシンボル期間のためのトーンサブセット割り当てルーチン３３０、およびシンボル期間の残り、例えば非ストリップシンボル期間のための他のダウンリンクトーン割り当てホッピングルーチン３３２を含む。トーンサブセット割り当てルーチン３３０は、ダウンリンクチャネル情報３４０、基地局ＩＤ情報３４４、例えばスロープインデックスおよびセクタタイプ、およびいくつかの実施形態に従ってダウンリンクトーンサブセット割り当てシーケンスを生成するためにダウンリンクトーン情報３５４を含むユーザデータ／情報３２２を使用し、かつ基地局２００から伝送された受信データを処理する。他のダウンリンクトーン割り当てホッピングルーチン３３０は、ストリップシンボル期間以外のシンボル期間に関するダウンリンクトーン情報３５４およびダウンリンクチャネル情報３４０を含む情報を使用して、ダウンリンクトーン割り当てホッピングシーケンスを構築する。トーンサブセット割り当てルーチン３３０は、プロセッサ３０６によって実行されるとき、無線端末３００が、基地局２００から１つ以上のストリップシンボル信号を受信するとき、およびどのトーンであるかを決定するために使用される。アップリンクトーン割り当てホッピングルーチン３３０は、それが伝送されるべきトーンを決定するために、基地局２００から受信された情報とともに、トーンサブセット割り当て関数を使用する。
【００５０】
図４は、図１の各セル（１０２、１０４）の各セクタについて実施される、様々な実施形態のＯＦＤＭ拡散スペクトルエアインタフェース（air interface）技術を示す。図４において、水平方向軸４５１は、周波数を表す。例えばダウンリンクシグナリングのための特定のキャリア周波数４５３のための利用可能な帯域幅の全量は、等しく離間されたトーンの数Ｋに分割される。いくつかの実施形態において、１１３個の等しく離間されたトーンが存在する。これらのトーンは、０からＫ−１に索引が付けられる。例示的なトーンである、トーン０  ４５５、トーン１  ４５７、トーン２  ４５９、およびトーンＫ−１  ４６１が、図４に示される。帯域幅は、２つのセル１０２、１０４を備える各セクタ１１０、１１２、１１４、１２２、１２４、１２６に同時に使用される。各セルの各セクタにおいて、トーン０からＫ−１が、ダウンリンク信号を伝送するためにそれぞれ各セルの各セクタで使用される。同一の帯域幅が、両方のセル１０２、１０４の各セクタで使用されるので、同時に周波数トーンで異なるセルおよびセクタによって伝送される信号は、例えば重なり合うカバレッジエリア、例えばセクタ境界エリア１１６、１１８、１２０、１２８、１３０、１３２、およびセル境界エリア１６８内で互いに干渉することがある。
【００５１】
図５は、図１の各セル（１０２、１０４）の各セクタについて実施される、様々な実施形態に従うストリップシンボル期間および非ストリップシンボル期間を示す例示的な信号フレーム構造を示す。図５において、水平方向軸５０１は時間を表す。時間軸５０１における単位は、シンボル期間、例えばＯＦＤＭ通信システムにおけるＯＦＤＭシンボル期間を表す。各シンボル期間において、図４に示されるＫ個のトーンのセットまたはサブセットが、基地局２００から無線端末３００へのダウンリンク信号を伝送するために使用される。ダウンリンク信号を伝送する目的のためのトーンの割り当ては、異なる割り当て方法または異なるシンボル期間におけるアルゴリズムに従うことができる。例示的な実施形態において、２つの異なるトーン割り当て方法が存在する。第１のトーン割り当て方法において、Ｋ個のトーンのサブセットだけが、シンボルにおいて使用され、サブセットは、所定のスケジュールシーケンスに従ってトーンサブセットの固定されたセットから選択される。第１のトーン割り当て方法がトーンを割り当てるために使用されるシンボルは、ストリップシンボルと呼ばれ、例えば図５において示される５０２、５０６、および５１０である。第２のトーン割り当て方法において、トーンホッピングシーケンスが、論理トーンに対応する物理トーンを決定するために使用され、トーン割り当ては、論理トーンを割り当てることによって行われる。第２のトーン割り当て方法がトーンを割り当てるために使用されるシンボルは、非ストリップシンボルと呼ばれ、例えば図５において示される５０４、５０８、および５１２である。一般に、非ストリップシンボル期間で使用されるトーンのセットは、所定のスケジュールシーケンスに従ってトーンサブセットの固定されたセットの結果からは生じない。様々な実施形態において、ストリップシンボルおよび非ストリップシンボルに加えて他のシンボル期間、例えばビーコン信号が伝送されるシンボル期間が存在することがあることに留意されたい。
【００５２】
図６は、様々な実施形態に従って基地局送信器によって使用されるトーンサブセットの例示的なセットを示す。図示を単純にするために、トーンの全数は７に等しい。例示的な実施形態において、トーンの全数は１１３であることができる。垂直方向軸６０１は、トーンのインデックスを表す。トーンインデックスは、０から６へ増大する。各列は、ストリップシンボルで使用されるトーンのサブセットを表す。各列において、暗いボックスは、対応するトーンが所与のトーンサブセットに含まれることを表す。例えば、列６０２におけるトーンサブセットは、トーン０、３、６を含み、列６０４におけるトーンサブセットは、トーン１、４、５を含み、列６０６におけるトーンサブセットは、トーン２、３、５を含み、列６０８におけるトーンサブセットは、トーン０、２、６を含み、列６１０におけるトーンサブセットは、トーン１、４、６を含む。図示において、全体でＮ＝５のトーンサブセットが存在する。図示において、各トーンサブセットに含まれるトーンの数は、同一であり３に等しい。
【００５３】
一般に、各トーンサブセットのトーンの数は、同一または異なることができる。様々な実施形態に従って、任意の２つのトーンサブセットにおけるトーンの数間の差異は、いずれかのトーンサブセットにおけるトーン数の多くとも２０％である。様々な実施形態に従って、トーンサブセットに含まれるトーンの数は、トーンの全数の半分に近い。例えば、トーンサブセットに含まれるトーンの数とトーンの全数の半分との間の差異は、トーンの全数の半分の多くとも２０％である。
【００５４】
図７は、それぞれ様々な実施形態に従って２つの基地局送信器によって使用される２つの例示的なトーンサブセット割り当てシーケンスを示す。図示７００は、第１の送信器によって使用されるトーンサブセット割り当てシーケンスであり、図示７２０は、第２の送信器によって使用されるトーンサブセット割り当てシーケンスである。
【００５５】
図示７００において、水平方向軸７０３は、時間を表し、時間軸７０１における各単位は、シンボル期間を表す。ストリップシンボルにおけるトーンの使用は、垂直方向列で示される。他のシンボル期間におけるトーンの使用は、図に示されていないが、トーンは、所定のトーン割り当ておよび／またはホッピング方法に従って使用されることが理解される。図示７００は、ストリップシンボルにおいて、固定されたトーンサブセットに含まれるトーンは、ダウンリンク信号を伝送するために使用されることを示す。Ｎ＝５の個別トーンサブセットからなる、図示７００で使用されるトーンサブセットのセットは、図６に示されるセットである。これらトーンサブセットは、（６０２に関して）０、（６０４に関して）１、（６０６に関して）２、（６０８に関して）３、および（６１０に関して）４として索引が付けられる。トーンサブセットは、トーンサブセット割り当てシーケンスである所定のスケジュールに従ってトーンサブセットのセットから選択される。特に、トーンサブセット０は、ストリップシンボル７０２で使用され、トーンサブセット１は、ストリップシンボル７０４で使用され、トーンサブセット２は、ストリップシンボル７０６で使用され、トーンサブセット３は、ストリップシンボル７０８で使用され、トーンサブセット４は、ストリップシンボル７１０で使用される。ストリップシンボル７１０の後、トーンサブセット割り当てシーケンスが繰り返す。したがって、トーンサブセット０は、ストリップシンボル７１２で使用され、トーンサブセット１は、ストリップシンボル７１４で使用され、トーンサブセット２は、ストリップシンボル７１６で使用されるなどである。
【００５６】
図示７２０において、水平方向軸７２３は、時間を表し、時間軸７２１における各単位は、シンボル期間を表す。ストリップシンボルにおけるトーンの使用は、垂直方向列で示される。他のシンボル期間におけるトーンの使用は、図に示されていないが、トーンは、所定のトーン割り当ておよび／またはホッピング方法に従って使用されることが理解される。図示７２０は、ストリップシンボルにおいて、固定されたトーンサブセットに含まれるトーンは、ダウンリンク信号を伝送するために使用されることを示す。図示７２０で使用されるトーンサブセットのセットは、図示７００で使用される同一のセットである。トーンサブセットは、トーンサブセット割り当てシーケンスである所定のスケジュールに従ってトーンサブセットのセットから選択される。第２の基地局で使用されるトーンサブセット割り当てシーケンスは、第１の基地局で使用されるトーンサブセット割り当てシーケンスとは異なる。特に、トーンサブセット０は、ストリップシンボル７２２で使用され、トーンサブセット２は、ストリップシンボル７２４で使用され、トーンサブセット４は、ストリップシンボル７２６で使用され、トーンサブセット１は、ストリップシンボル７２８で使用され、トーンサブセット３は、ストリップシンボル７３０で使用される。ストリップシンボル７３０の後、トーンサブセット割り当てシーケンスが繰り返す。したがって、トーンサブセット０は、ストリップシンボル７３２で使用され、トーンサブセット２は、ストリップシンボル７３４で使用され、トーンサブセット４は、ストリップシンボル７３６で使用されるなどである。第２の基地局で使用されるトーンサブセット割り当てシーケンスの期間は、第１の基地局で使用されるトーンサブセット割り当てシーケンスの期間と同一である。期間は、セットにおけるトーンサブセットの数に等しい。好ましくは、セットにおけるトーンサブセットの数は、素数であり、例えばＮ＝９７である。
【００５７】
上記図示７００および７２０において、２つの基地局が、ストリップシンボル７０２および７２２において同一のトーンサブセットを使用する。２つのストリップシンボルが整列されるとき、２つの基地局は、実際に、それらのダウンリンク信号を伝送するために同一のトーンを使用し、それによってそれらの間に強い相関した干渉を生じる。有利に、トーンサブセット割り当てシーケンスが、様々な実施形態に従って異なるので、２つの基地局は、以降のストリップシンボルで異なるトーンサブセットを使用し、それによって干渉が永続的に（persistently）強いことを避ける。２つの基地局は、必ずしも完全に互いに同期化される時間ではないことに留意されたい。
【００５８】
図８は、様々な実施形態に従うフレーム同期構造に適合するように、トーンサブセット割り当てシーケンスを切り詰める動作を示す。図７に示される図示において、トーンサブセット割り当てシーケンスは、１つの期間から次の期間へと動作する。いくつかの実施形態において、ダウンリンク信号において他のフレーム同期構造と整列されるために、トーンサブセット割り当てシーケンスは、切り詰められかつ再開始される。図８は、スーパスロット、ビーコンスロット、およびウルトラスロットを含む例示的なフレーム同期構造を示す。スーパスロットは、固定数のシンボル、例えば１１４個の連続するＯＦＤＭシンボル伝送時間間隔を含む。所定のダウンリンクトーンホッピングシーケンスは、スーパスロットの周期性を有する。ビーコンスロットは、固定数のスーパスロット、例えば８個の連続する索引が付けられたスーパスロットを含む。１つの実施形態において、ビーコン信号は、ビーコンスロットで伝送される。ウルトラスロットは、固定数のビーコンスロット、例えば１８個の連続する索引が付けられたビーコンスロットを含む。
【００５９】
図８において、ウルトラスロット８００は、１８個のビーコンスロット８２２、８２４、８２６、８２８、８３０、８３２、８３４、８３６、８３８、８４０、８４２、８４４、８４６、８４８、８５０、８５２、８５４、８５６を含む。これらのビーコンスロットは、それぞれＬ＝０、１、２、３、４、５、６、７、８、９、１０、１１、１２、１３、１４、１５、１６、１７として索引が付けられる。ビーコンスロット、例えばビーコンスロット８３６は、８個のスーパスロット８０２、８０４、８０６、８０８、８１０、８１２、８１４、８１６を含む。特別なシンボルが、各スーパスロットの始まりで伝送される。例えば、スーパスロット８０２において、第１の２つのシンボル８６０が、ビーコン信号を伝送するために使用され、スーパスロット８０４および８０６において、第１の２つのシンボル８６４および８６６は、伝送されない。スーパスロット８０８、８１０、８１２、８１４、８１６において、第１の２つのシンボル８６８、８７０、８７２、８７４、および８７６は、例えば同報通信および／または制御情報を送るために使用されるストリップシンボルである。スーパスロットは、第１の２つの特定のシンボルに加えて他のシンボル、例えばダウンリンクトラフィックチャネルセグメントに含まれるユーザデータを含むデータ／情報を回復するために使用される１１２個のＯＦＤＭシンボルを含むことができる。ビーコンスロットのタイミング構造は繰り返す。例えば、２つのシンボル８６２は、第１の２つのシンボル８６０に類似するビーコン信号を伝送するために使用される。
【００６０】
図８の例示的な実施形態のビーコンスロットにおけるストリップシンボルは、ｍ＝０、１、・・・、９として索引が付けられる。例えば、ビーコンスロットにおける第１のストリップシンボル８８０は、ｍ＝０として索引が付けられ、ビーコンスロットにおける第２のストリップシンボル８８２は、ｍ＝１として索引が付けられる。
【００６１】
例示的な実施形態において、トーンサブセット割り当てシーケンスは、以下のように与えられる。
【００６２】
ｆ（ｂｓｓＳｌｏｐｅＩｎｄｅｘ，ｂｓｓＳｅｃｔｏｒＴｙｐｅ，ｋ）＝（ｂｓｓＳｌｏｐｅＩｎｄｅｘ＋１）／（ｂｓｓＳｅｃｔｏｒＴｙｐｅ＊ｋ＋ｋ２）は、ストリップシンボルｋにおいて選択されるべきトーンサブセットのインデックスを表し、ここで、全ての算術演算子（＋，２，＊，／）は、Ｎの領域で規定され、Ｎは素数であり、例えば、Ｎ＝９７である。
【００６３】
ｂｓｓＳｌｏｐｅＩｎｄｅｘは、セルスロープ値のインデックスであり、好ましくはセルの各セクタについて同一であり、隣接セルは、ｂｓｓＳｌｏｐｅＩｎｄｅｘに関して異なる値を有するべきである。パラメータｂｓｓＳｌｏｐｅＩｎｄｅｘは、０，１，・・・，Ｎ１−１に等しく、ここで、Ｎ１≦Ｎである。１つの実施形態において、Ｎ１＝９６である。
【００６４】
ｂｓｓＳｅｃｔｏｒＴｙｐｅは、セクタのインデックスである。セクタタイプＴが、セット{０，１，・・・，５}、{０，１}または{０，１，２}にあり、所与の基地局における隣接セクタは、Ｔの異なる値を有するべきである。
【００６５】
ｆは、基地局のセクタにおける特定の関数である。
【００６６】
ｋは、ストリップシンボル期間のインデックスであり、ｋ＝Ｌ＊１０＋ｍである。
【００６７】
わずかに異なる形式で表現され、
ｋ＝Ｌ＊１０＋ｍ
ｔｅｍｐ０＝ｂｓｓＳｅｃｔｏｒＴｙｐｅ＊ｋ＋ｋ＊ｋ
ｔｅｍｐ１＝ｉｍｏｄ（ｔｅｍｐ０、Ｎ）
ｆ（ｂｓｓＳｌｏｐｅＩｎｄｅｘ、ｂｓｓＳｅｃｔｏｒＴｙｐｅ，ｋ）＝ｍｏｄ（ｔｅｍｐ１＊（ｂｓｓＳｌｏｐｅＩｎｄｅｘ＋１），Ｎ）であり、
ここで、整数ｘおよびｍに関して、モジュロ関数（modulo function）ｍｏｄ（ｘ，ｍ）は、ｍｏｄ（ｘ，ｍ）＝ｘ−ｍ＊ｆｌｏｏｒ（ｘ／ｍ）として定義され、ここで関数ｆｌｏｏｒ（ｘ）は、ｘ以下の最大の整数として定義され、整数ｘおよびｍに関して、逆モジュロ関数ｉｍｏｄ（ｘ，ｍ）は、ｙに等しく、ここでｍｏｄ（ｘ＊ｙ，ｍ）が１に等しいなら１≦ｙ≦ｍである。ｍｏｄ（ｘ，ｍ）がゼロであるなら、ｉｍｏｄ（ｘ，ｍ）は、０に設定される。
【００６８】
時間インデックスｋが、０から無限大に至ることが可能であるなら、上記トーンサブセット割り当てシーケンスは、Ｎ個のストリップシンボルの自然期間（natural period）を有する。
【００６９】
しかしながら、ダウンリンク信号のフレームタイミング構造と適合するために、ｋは、０からＰ−１に進み、ここで、例示的な実施形態においてＰ＝１８０である。換言すれば、トーンサブセット割り当てシーケンスは、第１の自然期間に関してｋ＝０からｋ＝９６（＝Ｎ−１）について動作し、ｋ＝９７から再び始まる。第２の自然期間が、ｋ＝１９３（２＊Ｎ−１）で自然に終了する前に、時間インデックスは、ｋ＝１７９で停止し、ｋ＝０に再設定する。結果として、第２の期間は切り詰められ、トーンサブセット割り当てシーケンスは、始まりから再開始する。
【００７０】
これは、図８の下側部分に示される。第１のウルトラスロット８９１および第２のウルトラスロット８９２は、互いに並ぶ。時間瞬間８９０は、２つのウルトラスロット間の境界である。トーンサブセット割り当てシーケンスは、ｋ＝０の場合に第１のウルトラスロット８９１の始まりから開始し、ｋ＝９６である場合に第１のウルトラスロット８９１内に位置する、時間瞬間８９４のシーケンスの第１の自然期間８９３で完了する。トーンサブセット割り当てシーケンスは、ｋ＝９７から第２の期間を開始するように続く。第２の期間８９５は、第１のウルトラスロットが終了した後の時間瞬間で完了する。しかしながら、ｋは、第１のウルトラスロットが終了するとき再設定され、第２のウルトラスロットは、第２の期間８９５が切り詰められる時間瞬間８９０で開始し、トーンサブセット割り当てシーケンスは、第２の期間８９５を完了するように連続するよりむしろｋ＝０から再開始される。
【００７１】
ウルトラスロット、ビーコンスロット、スーパスロットなどの上記フレームタイミング構造が、ウルトラスロット毎に繰り返す。
【００７２】
図９は、様々な実施形態に従って実施された例示的なトーンサブセット割り当てモジュール９００の図である。基地局は、エアインタフェースを介するネットワーク接続性を得るための無線端末のためのネットワークアクセスポイントである。基地局は、１つまたは複数の基地局セクタ（ＢＳＳ）を含む。ＢＳＳは、基地局の一部である。全（omni）ＢＢＳは、基地局に対応する全セルにおける無線端末にサービスを提供する。指向性（directional）ＢＢＳは、セルのサブセット部分、例えばセルのセクタ内の無線端末と通信するために、特定の方向のアンテナを使用することができる。
【００７３】
モジュール９００は、基地局または無線端末の一部として含まれることができ、ＢＳＳに対応するセルのセクタ内で使用されるべきであるトーンサブセット割り当てパターンを決定するために使用される。例示的なトーンサブセット割り当てモジュール９００は、トーンサブセット割り当て決定モジュール９０２、セル識別マッピングモジュール９０４、セクタ識別マッピングモジュール９０６、および時間インデックスマッピングモジュール９０８を含む。
【００７４】
ＢＳは、ＢＳＳスロープ９１２に関連付けられるＢＳ識別子を有することができる。セルの異なるセクタは、いくつかの実施形態において、同一のＢＳＳスロープ９１２を使用する。通信システムにおける所与のＢＳＳは、対応するＢＳＳスロープ９１２およびＢＳＳセクタＩＤ９１４を有する。セルＩＤマッピングモジュール９０４は、ｂｓｓＳｌｏｐｅＩｎｄｅｘ値９１６にＢＳＳスロープ９１２をマッピングする。同一のセルに対応する複数のＢＳＳは、ｂｓｓＳｌｏｐｅＩｎｄｅｘに関して同一の値を有する。隣接するセルは、ｂｓｓＳｌｏｐｅＩｎｄｅｘの異なる値を有する。
【００７５】
セルＩＤマッピングモジュール９０４は、例えばルックアップテーブルを介して、ＢＳＳスロープ９１２をｂｓｓＳｌｏｐｅＩｎｄｅｘ値９１６への変換を実行する。いくつかの実施形態において、有効なｂｓｓＳｌｏｐｅＩｎｄｅｘのセットは、０：９５の範囲内の整数値である。
【００７６】
ＢＳＳは、関連付けられたＢＳＳセクタ識別子９１４も有する。セルの各セクタは、異なるＢＳＳセクタ識別子９１４を有する。同一ＢＳの異なるＢＳＳは、同一のｂｓｓＳｅｃｔｏｒＴｙｐｅ９１８を有することができる。しかしながら、好ましい実施形態において、同一ＢＳの隣接するＢＳＳは、同一のｂｓｓＳｅｃｔｏｒＴｙｐｅを有さない。セクタＩＤマッピングモジュール９０６は、ＢＳＳセクタＩＤ９１４をｂｓｓＳｅｃｔｏｒＴｙｐｅ値９１８にマッピングする。いくつかの実施形態において、ｂｓｓＳｅｃｔｏｒＴｙｐｅ値＝ｍｏｄ（ＢＳＳセクタＩＤ，３）である。いくつかのそのような実施形態において、ＢＳＳセクタＩＤは、０・・５の範囲内の整数値であり、一方ｂｓｓＳｅｃｔｏｒＴｙｐｅは、０・・２の範囲内の整数値である。
【００７７】
いくつかの実施形態において、通信システムにおける所与のＢＳＳに関して、ｂｓｓＳｌｏｐｅＩｎｄｅｘ９１６およびｂｓｓＳｅｃｔｏｒＴｙｐｅ９１８のための値は固定され、時間とともに変わらない。
【００７８】
いくつかのそのような実施形態において、その取り付けポイントとしてＢＳＳを使用することを望む無線端末は、ＢＳＳに対応するｂｓｓＳｌｏｐｅＩｎｄｅｘ値およびｂｓｓＳｅｃｔｏｒＴｙｐｅ値を決定し、次にトーンサブセット割り当てシーケンスを計算するためにこれらの値を使用する。
【００７９】
時間インデックスマッピングモジュール９０８は、タイミング構造情報９１０を含む。タイミング構造情報９１０は、各ＢＳＳと関連するダウンリンク構造情報、例えばＯＦＤＭシンボルタイミング、およびスーパスロット、ビーコンスロット、ウルトラスロットなどのＯＦＤＭシンボルの様々なグルーピング、ならびにグルーピングに関連する索引付け情報を識別する。タイミング構造情報９１０は、ＯＦＤＭシンボルがストリップシンボルかどうかも決定する。時間インデックスマッピングモジュール９０８は、現在のダウンリンクｄｌＵｌｔｒａｓｌｏｔＢｅａｃｏｎＩｎｄｅｘ値９２２および現在のビーコンスロット値９２４内の現在のストリップシンボルインデックスを受信し、時間依存（time dependent）値ｋ９２０を決定する。例えば、ｋは、０・・１７９の範囲内の整数値であり得る。現在のｄｌＵｌｔｒａｓｌｏｔＢｅａｃｏｎＩｎｄｅｘ値９２２は、ＢＳＳに対応するダウンリンクタイミング構造内の現在のウルトラスロット内の現在のビーコンスロットインデックスを識別する。いくつかの実施形態において、ｄｌＵｌｔｒａｓｌｏｔＢｅａｃｏｎＩｎｄｅｘの値は、０から１７に及ぶ整数値である。現在のビーコンスロット値９２４内の現在のストリップシンボルインデックスは、ダウンリンクタイミング構造内の現在のビーコンスロット内の現在のストリップシンボルを識別する。いくつかの実施形態において、インデックス９２４の値は、０から９に及ぶ。
【００８０】
トーンサブセット割り当てシーケンス決定モジュール９０２は、制御入力ｂｓｓＳｌｏｐｅＩｎｄｅｘ値９１６、ｂｓｓＳｅｃｔｏｒＴｙｐｅ９１８、および時間インデックスｋ値９２０を受信する。決定モジュール９０２は、現在のストリップシンボルで使用されるべきトーンサブセット９２８の対応するインデックスを決定する。いくつかの実施形態において、インデックスは、０から９６の範囲内の整数値である。
【００８１】
いくつかの実施形態において、時間インデックスマッピングモジュール９０８は、式ｋ＝Ｌ＊１０＋ｍを使用してｋを決定し、ここでＬは、０から１７の範囲の整数値であるｄｌＵｌｔｒａｓｌｏｔＢｅａｃｏｎＩｎｄｅｘであり、ｍは、０から９の範囲の整数値である現在のビーコンスロット内の現在のストリップシンボルのインデックスである。いくつかのそのような実施形態において、トーンサブセット割り当てシーケンス決定モジュール９０２は、ｆ（ｂｓｓＳｌｏｐｅＩｎｄｅｘ、ｂｓｓＳｅｃｔｏｒＴｙｐｅ，ｋ）＝ｍｏｄ（ｔｅｍｐ１＊（ｂｓｓＳｌｏｐｅＩｎｄｅｘ＋１），９７）を使用し、ここで、ｔｅｍｐ１＝ｉｍｏｄ（ｔｅｍｐ０，９７）、ここでｔｅｍｐ０＝ｂｓｓＳｅｃｔｏｒＴｙｐｅ＊ｋ＋ｋ＊ｋである。
【００８２】
図１０Ａ、図１０Ｂ、図１０Ｃ、図１０Ｄ、図１０Ｅ、図１０Ｆ、および図１０Ｇの組み合わせからなる図１０は、例示的な実施形態において、ストリップシンボル間隔で使用するために割り当てられた例示的なトーンサブセットのセットの表１０００である。第１の列１００２は、０から９６に及ぶトーンサブセットインデックスを含む。第２の列１００４は、各トーンサブジェクト（subject）インデックス値に対応するトーンマスクを含む。所与のＯＦＤＭストリップシンボルのために使用されるべきトーンサブジェクトインデックス値は、例えばトーンサブセット割り当てシーケンス決定モジュール９０２によって決定される。この例示的な実施形態において、基地局セクタ取り付けポイントに対応するダウンリンクトーンブロックは、１１３個のＯＦＤＭトーンを使用する。トーンマスクは、どのトーンがトーンサブセットで使用されるべきかを識別する。トーンサブセットインデックスに対応する各エントリ（entry）は、１１３個の値を列挙し、各値は、ダウンリンクトーンブロックにおける１１３個のトーンのセットの索引が付けられたトーンに対応する。値が０であれば、トーンは使用されない。値が１であれば、トーンは使用される。例えば、インデックスが０であるトーンサブセットを考慮し、インデックス値が２、５、９、１０、１２、１３、１６、１７、１８、２０、２４、２９、３０、３４、３５、３６、３８、３９、４３、４４、４５、４７、４９、５２、５３、５４、５５、５７、５８、５９、６０、６１、６３、６４、６７、６９、７０、７３、７４、７６、７７、７８、８０、８５、８８、８９、９０、９２、９４、１００、１０１、１０２、１０３、１０８、１０９、１１０を有するトーンが使用され、一方、インデックス値が０、１、３、４、６、７、８、１１、１４、１５、１９、２１、２２、２３、２５、２６、２７、２８、３１、３２、３３、３７、４０、４１、４２、４６、４８、５０、５１、５６、６２、６５、６６、６８、７１、７２、７５、７９、８１、８２、８３、８４、８６、８７、９１、９３、９５、９６、９７、９８、９９、１０４、１０５、１０６、１０７、１１１、および１１２を有するトーンが使用されない。いくつかの実施形態において、ＤＣトーン、例えばトーンインデックス５６を有するトーンブロック内の中央トーンは、トーンマスクが、使用されるべきであることを示しても、使用されないままである。
【００８３】
図１１は、様々な実施形態に従って基地局取り付けポイントに関連付けられたダウンリンクトーンブロックの使用に対する例示的な繰り返しタイミング構造を示す図１１００である。例示的なタイミング構造は、例示的な繰り返す第３の時間期間１１０２を含む。
【００８４】
例示的な第３の時間期間１１０２は、連続する順番に、例示的な時間期間（１１０４、１１０６、１１０８、１１１０、１１１２、１１１４、１１１６、１１１８、１１２０、１１２２、１１２４、１１２６、１１２８、１１３０、１１３２、１１３４、１１３６、１１３８、１１４０、１１４２、１１４４）を含む。例示的な第４の時間期間１１０４は、ビーコン信号を運ぶために使用されるようにスケジューリングされる。例示的な第２の時間期間１１０６は、ユーザデータを運ぶために使用されるようにスケジューリングされる。例示的な第４の時間期間１１０８は、使用されないままであるようにスケジューリングされる。例示的な第２の時間期間１１１０は、ユーザデータを運ぶために使用されるようにスケジューリングされる。例示的な第４の時間期間１１１２は、使用されないままであるようにスケジューリングされる。例示的な第２の時間期間１１１４は、ユーザデータを運ぶために使用されるようにスケジューリングされる。例示的な第４の時間期間１１１６は、決定された非ヌルトーンサブセットを使用して同報通信制御情報を運ぶために使用されるようにスケジューリングされ、かつ決定されたヌルトーンサブセット上でヌルトーンを運ぶようにスケジューリングされ、トーンセブセットは、トーンサブセットホッピングシーケンスに従って決定される。例示的な第１の時間期間１１１８は、決定された非ヌルトーンサブセットを使用して同報通信制御情報を運ぶために使用されるようにスケジューリングされ、かつ決定されたヌルトーンサブセット上でヌルトーンを運ぶようにスケジューリングされ、トーンサブセットは、トーンサブセットホッピングシーケンスに従って決定される。例示的な第２の時間期間１１２０は、ユーザデータを運ぶために使用されるようにスケジューリングされる。例示的な第１の時間期間１１２２は、決定された非ヌルトーンサブセットを使用して同報通信制御情報を運ぶために使用されるようにスケジューリングされ、かつ決定されたヌルトーンサブセット上でヌルトーンを運ぶようにスケジューリングされ、トーンセブセットは、トーンサブセットホッピングシーケンスに従って決定される。例示的な第１の時間期間１１２４は、決定された非ヌルトーンサブセットを使用して同報通信制御情報を運ぶために使用されるようにスケジューリングされ、かつ決定されたヌルトーンサブセット上でヌルトーンを運ぶようにスケジューリングされ、トーンサブセットは、トーンサブセットホッピングシーケンスに従って決定される。例示的な第２の時間期間１１２６は、ユーザデータを運ぶために使用されるようにスケジューリングされる。例示的な第１の時間期間１１２８は、決定された非ヌルトーンサブセットを使用して同報通信制御情報を運ぶために使用されるようにスケジューリングされ、かつ決定されたヌルトーンサブセット上でヌルトーンを運ぶようにスケジューリングされ、トーンセブセットは、トーンサブセットホッピングシーケンスに従って決定される。例示的な第１の時間期間１１３０は、決定された非ヌルトーンサブセットを使用して同報通信制御情報を運ぶために使用されるようにスケジューリングされ、かつ決定されたヌルトーンサブセット上でヌルトーンを運ぶようにスケジューリングされ、トーンサブセットは、トーンサブセットホッピングシーケンスに従って決定される。例示的な第２の時間期間１１３２は、ユーザデータを運ぶために使用されるようにスケジューリングされる。例示的な第１の時間期間１１３４は、決定された非ヌルトーンサブセットを使用して同報通信制御情報を運ぶために使用されるようにスケジューリングされ、かつ決定されたヌルトーンサブセット上でヌルトーンを運ぶようにスケジューリングされ、トーンサブセットは、トーンサブセットホッピングシーケンスに従って決定される。例示的な第１の時間期間１１３６は、決定された非ヌルトーンサブセットを使用して同報通信制御情報を運ぶために使用されるようにスケジューリングされ、かつ決定されたヌルトーンサブセット上でヌルトーンを運ぶようにスケジューリングされ、トーンサブセットは、トーンサブセットホッピングシーケンスに従って決定される。例示的な第２の時間期間１１３８は、ユーザデータを運ぶために使用されるようにスケジューリングされる。例示的な第１の時間期間１１４０は、決定された非ヌルトーンサブセットを使用して同報通信制御情報を運ぶために使用されるようにスケジューリングされ、かつ決定されたヌルトーンサブセット上でヌルトーンを運ぶようにスケジューリングされ、トーンサブセットは、トーンサブセットホッピングシーケンスに従って決定される。例示的な第１の時間期間１１４２は、決定された非ヌルトーンサブセットを使用して同報通信制御情報を運ぶために使用されるようにスケジューリングされ、かつ決定されたヌルトーンサブセット上でヌルトーンを運ぶようにスケジューリングされ、トーンサブセットは、トーンサブセットホッピングシーケンスに従って決定される。例示的な第２の時間期間１１４４は、ユーザデータを運ぶために使用されるようにスケジューリングされる。
【００８５】
一つの例示的な実施形態において、第３の時間期間は、ウルトラスロットに対応し、第４の時間期間は、ビーコン信号伝送および意図的な送信器ダウンリンクトーンブロック非伝送の１つが生じるようにスケジューリングされる、２つの連続するＯＦＤＭシンボル伝送時間期間の間隔に対応し、かつ第１のタイプの時間間隔は、非ビーコン同報通信制御信号を運ぶストリップシンボルの伝送のためにスケジューリングされる単一のＯＦＤＭシンボルの広い間隔に対応する。繰り返し構造における連続する第１の時間期間は、第１のトーンセットホッピングシーケンスに従って同報通信制御信号を運ぶために異なるトーンサブセットを使用する。
【００８６】
例えば、図８の一つの例示的な実施形態において、ウルトラスロットは、それぞれ９１２個のＯＦＤＭシンボル時間期間幅である１８個の索引が付けられたビーコンスロットを含む、１６４１６個の連続するＯＦＤＭシンボル時間期間を含む。各索引が付けられたビーコンスロットは、３／４の間隔を含み、各第４の間隔は、２個のＯＦＤＭシンボル時間期間幅であり、１／４の間隔は、ビーコン信号を運び、２／４の間隔は、意図的なトーンブロックヌルを有する。各索引が付けられたビーコンスロットは、１０個の第１の期間も含み、各第１の期間は、ストリップシンボルを運ぶために使用されるＯＦＤＭシンボル伝送時間期間幅であり、第１の期間は、一度に２つのグループにされる（ｍ＝（０，１）、（２，３）、（４、５）、（６、７）、（８、９）である図８を参照）。それぞれ索引が付けられたビーコンスロットは、８個の第２の時間期間も含み、各第２の時間期間は、１１２個のＯＦＤＭシンボル幅であり、ユーザデータを含む１１２個のＯＦＤＭシンボルを運ぶようにスケジューリングされる。
【００８７】
図８の実施例において、第１のトーンサブセットホッピングシーケンスは、第１の時間期間に関する制御信号を運ぶために使用されるべき９７個の異なる所定のトーンサブセットを有する。図１０は、ホッピングシーケンスで使用されるべき９７個の異なる所定のトーンサブセットの実施例を提供する。しかしながら図８の例示的なウルトラスロットは、１８０個の第１の時間期間を含む。このようにウルトラスロットは、第１のトーンセットホッピングシーケンスの１回の繰り返しを含み、ｋ＝０から９６に対応する各９７個の索引が付けられたトーンサブセット、およびｋ＝９７から１７９に対応する第１のトーンセットホッピングシーケンスの第２の繰り返しの一部が、一回使用される。第１のトーンサブセットホッピングシーケンスの異なる所定のトーンサブセットの順番は、セルおよび／またはセクタ識別子の関数である。図７は、例えばセルおよび／またはセクタ識別子情報の関数として、２つの異なるベース送信器のための２つの異なる第１のトーンサブセットホッピングシーケンスの概念を示す。
【００８８】
図１２は、情報を通信するためにトーンのブロック、例えば１１３個のトーンのダウンリンクトーンブロックを使用する通信デバイス、例えば基地局を動作する例示的な方法のフローチャート１２００を示す。動作は、通信デバイスがパワーオンされかつ初期化されるステップ１２０２で開始する。動作は、開始ステップ１２０２からステップ１２０４へ進む。
【００８９】
ステップ１２０４において、通信デバイスは、第３の時間期間の間に通信されるべきヌルトーン、非ヌルトーン、および信号を決定し、信号を例えば繰り返す基準で伝送する。例えば、第３の時間期間は、通信デバイスによって使用される繰り返しタイミング構造におけるウルトラスロットであり得る。ステップ１２０４は、サブステップ１２０６、１２０８、１２１０、１２１２、１２１４、１２１６、１２１８、１２２０、および１２２２を含む。
【００９０】
サブステップ１２０６において、通信デバイスは、第３の時間期間内の現在のシンボル時間が、第１、第２、または第４の時間期間に対応するかどうかを決定する。現在のシンボル時間期間が、第４の時間期間に対応するなら、動作は、サブステップ１２０６からサブステップ１２０８へ進む。現在のシンボル時間期間が、第１の時間期間に対応するなら、動作は、サブステップ１２０６からサブステップ１２１４へ進む。現在のシンボル時間期間が、第２の時間期間に対応するなら、動作は、サブステップ１２０６からサブステップ１２１６へ進む。
【００９１】
サブステップ１２０８において、通信デバイスは、ビーコン伝送が、トーンブロック内で伝送されるようにスケジューリングされるかどうかを決定する。ビーコンが、現在のシンボル時間に対応してスケジューリングされるなら、動作は、サブステップ１２０８からサブステップ１２１０へ進む。ビーコンが、現在のシンボル時間に対応してスケジューリングされていないなら、動作は、サブステップ１２０８からサブステップ１２１２へ進む。サブステップ１２１０において、通信デバイスは、第４の繰り返し時間期間、例えばビーコン信号およびトーンブロックヌルの１つに関して確保された２つの連続するＯＦＤＭシンボル伝送時間間隔の時間期間の間に、第２の繰り返し時間期間の間に伝送される任意のトーンより高いトーン信号当たりのエネルギレベルを有する狭帯域ビーコントーンを伝送する。サブステップ１２１２において、通信デバイスは、第４の繰り返し時間期間の間に、前記トーンブロックへの伝送を止める。動作は、サブステップ１２１０またはサブステップ１２１２からサブステップ１２２２へ進む。
【００９２】
いくつかの実施形態において、通信システム内の異なる基地局取り付けポイントは、例えばセルおよび／またはセクタ識別子の関数として、ビーコン信号を運ぶために第３の時間期間内で異なる第４の時間期間を使用した。例えば、一つの例示的な３つのセクタ実施形態において、第３の時間期間は、２４個の索引が付けられた第４の時間期間を含む。例えば、セクタタイプ０の取り付けポイントは、ビーコン信号を運ぶためにインデックス０、３、６、９、１２、１５、１８、２１を有する第４の時間期間を使用し、かつトーンブロックに対するインデックス１、２、４、５、７、８、１０、１１、１３、１４、１６、１７、１９、２０、２２、２３を有する第４の時間期間の間の伝送を止める。セクタタイプ１の取り付けポイントは、ビーコン信号を運ぶためにインデックス１、４、７、１０、１３、１６、１９、２２を有する第４の時間期間を使用し、かつトーンブロックに対するインデックス０、２、３、５、６、８、９、１１、１２、１４、１５、１７、１８、２０、２１、２３を有する第４の時間期間の間の伝送を止める。セクタタイプ２の取り付けポイントは、ビーコン信号を運ぶためにインデックス２、５、８、１１、１４、１７、２０、２３を有する第４の時間期間を使用し、かつトーンブロックに対するインデックス０、１、３、４、６、７、９、１０、１２、１３、１５、１６、１８、１９、２１、２２を有する第４の時間期間の間の伝送を止める。
【００９３】
サブステップ１２１４において、第１の繰り返し時間期間、例えば１つのＯＦＤＭシンボル時間間隔の持続期間のストリップシンボル時間期間について、通信デバイスは、第１のトーンホッピングシーケンスに従って、パワーが伝送されるべきでないトーンサブセット、および非ゼロ変調シンボルが伝送されるべきであるトーンサブセットを決定し、パワーが伝送されるべきでない前記決定されたトーンサブセットは、前記トーンサブセット内のトーンの少なくとも３０パーセントを含み、変調シンボルが伝送されるべきである前記決定されたトーンサブセットは、使用されるべき複数の所定のトーンサブセットの１つである。
【００９４】
いくつかの実施形態において、第３の時間期間における所与の第１の時間期間に関して、決定されたヌルトーンのサブセットと非ヌルトーンのサブセットの結合は、基地局取り付けポイントに関するトーンブロックトーンのセット、例えば基地局取り付けポイントに関するダウンリンクトーンブロックトーンのセットである、図１０は、ヌルトーンの９７個の異なるサブセットおよび非ヌルトーンの９７個の異なるサブセットに対応する例示的なトーンサブセット情報を含む。ヌルおよび非ヌルトーンの混合を使用することによって、信号伝送された第１の時間期間は、チャネル推定を実行するために受信器、例えば無線端末受信器によって使用されることができる。さらに、同報通信制御情報は、第１の時間期間の間に通信される非ヌル変調シンボルの値によって通信される。
【００９５】
第３の時間期間における所与の第１の時間期間に対応するトーンサブセットは、いくつかの実施形態において、セル、セクタ識別子、および／または通信デバイスの取り付けポイントに対応するトーンブロック、およびタイミング構造内のＯＤＦＭシンボル時間の関数として決定される。例えば、隣接セルおよびまたはセクタに対応する取り付けポイントは、トーンの同一のサブセットを使用して異なるトーンホッピングシーケンスを使用する。図９は、例示的なトーンホッピング決定を記載する。
【００９６】
動作は、サブステップ１２１４からサブステップ１２１８へ進む。サブステップ１２１８において、通信デバイスは、サブステップ１２１４から決定されたトーンサブセットに従ってＯＦＤＭシンボルを生成する。動作は、サブステップ１２１８からサブステップ１２２０へ進む。サブステップ１２２０において、通信デバイスは、ステップ１２１８から生成されたＯＦＤＭシンボルを伝送する。動作は、サブステップ１２２０からサブステップ１２２２へ進む。
【００９７】
サブステップ１２１６において、通信デバイスは、第２の繰り返し時間期間、例えばユーザデータを運ぶために使用される１１２個の連続するＯＦＤＭシンボル時間間隔の間に、通信デバイスは、情報を伝送するために前記トーンのブロックを使用し、前記トーンブロックの前記トーンの少なくとも７０パーセントは、第２の時間期間の間に非ゼロ変調シンボルを通信するために利用可能である。例えば、第２の時間期間の間に、ダウンリンクトラフィックチャネル信号が、いくつかの制御信号に加えて通信される。サブステップ１２１６において、いくつかの実施形態において、論理チャネルトーンは、第１の時間期間に適用可能なトーンサブセットホッピングとは異なる、トーンホッピングスキーマに従って物理トーンにホッピングされる。いくつかのそのような実施形態において、第２の時間期間に適用可能なトーンホッピングと第１の時間期間に適用可能なトーンサブセットホッピングの両方は、ホッピング、例えばトーンホッピング、トーンサブセットホッピングを決定するための入力としてセルおよび／またはセクタ識別子情報を利用する。例えば、異なる式が、同一の基地局セクタ取り付けポイントについてのホッピングに対する第１および第２の時間期間の間に使用される。動作は、サブステップ１２１６からサブステップ１２２２へ進む。
【００９８】
サブステップ１２２２において、通信デバイスは、第３の時間期間内のシンボル時間インデックスを更新する。例えば、一つの実施形態において、動作が、サブステップ１２１０または１２２２を介してサブステップ１２２２へ進むなら、インデックスは、２個のＯＦＤＭシンボル伝送時間期間によって更新され、動作が、サブステップ１２１４を介してサブステップ１２２２へ進むなら、インデックスは、１個のＯＦＤＭシンボル伝送時間期間によって更新され、動作が、サブステップ１２１６を介してサブステップ１２２２へ進むなら、インデックスは、１１２個のＯＦＤＭシンボル伝送時間期間によって更新される。様々な実施形態において、索引付けが、第３の時間期間が完了するとき、次の連続する第３の時間期間、例えばウルトラスロットについて開始するように、更新は、変調計算を使用する。動作は、サブステップ１２２２からサブステップ１２０６へ進む。
【００９９】
様々な実施形態において、第２の繰り返し時間期間は、第１の繰り返し時間期間の持続期間の少なくとも１０倍の持続期間を有する。いくつかの実施形態において、第２の時間期間は、第１の時間期間の持続期間の５０倍より長い持続期間を有する。いくつかの実施形態において、第２の時間期間は、第１の時間期間の持続期間の１００倍より長い持続期間を有する。いくつかの実施形態において、第２の時間期間は、ユーザデータ伝送期間に対応するので、第１の時間期間と第２の時間期間との間の平衡、およびユーザデータが通信されない第１および第４の時間期間などの時間期間のタイミング構造内の位置は、例えば音声アプリケーションなどの特定に低い潜時（latency）を必要とするアプリケーションにおいて、ユーザの様相（perspective）から途切れないユーザデータ通信を達成することを重要な考慮すべきことであり得る。いくつかの実施形態において、第４の時間期間が、同期化、例えばフレーム同期化を実行する無線端末によって使用されるビーコン信号を搬送するために使用されるので、例示的な第３の時間期間は、第４の時間期間で始まる。
【０１００】
様々な実施形態において、第１の時間期間について、第１のセットトーンホッピングシーケンスは、複数の所定のトーンサブセットのどれが使用されるかを決定する。例えば、所与の基地局取り付けポイントについての繰り返しタイミング構造における所与の第１の時間期間に関する第１のセットトーンホッピングシーケンスは、図１０の表１０００の９７個の列の１つに対応するトーンサブセット情報を使用することを決定する。様々な実施形態において、無線通信システムにおける異なる隣接する基地局取り付けポイントは、異なる第１の時間期間トーンサブセットホッピングシーケンスを使用する。
【０１０１】
様々な実施形態において、第１および第２の時間期間は、所定の基準（basis）で繰り返す第３の時間期間内で生じ、第１の時間期間内のＯＦＤＭシンボル伝送時間期間は、モジュラー増分インデックスを使用して索引が付けられ、第１のトーンセットホッピングシーケンスは、モジュラー増分インデックスの関数である。例えば、例示的なウルトラスロットは、１８０個の索引が付けられた第１の時間期間を含むことができるが、第１のトーンセットホッピングシーケンスは、ウルトラスロット内の９８番目の第１の時間期間で繰り返しを始める。
【０１０２】
様々な実施形態において、ヌルトーンサブセットおよび非ヌルトーンサブセットの少なくとも１つに対応する所定のトーンサブセットの数は、素数である。図１０の実施例において、素数は９７である。
【０１０３】
一つの例示的な実施形態において、しばしばトーンサブセットホッピングシーケンスとも呼ばれるトーンサブセット割り当てシーケンスは、以下のように与えられる。
【０１０４】
ｆ（ｂｓｓＳｌｏｐｅＩｎｄｅｘ，ｂｓｓＳｅｃｔｏｒＴｙｐｅ，ｋ）＝（ｂｓｓＳｌｏｐｅＩｎｄｅｘ＋１）／（（ｂｓｓＳｅｃｔｏｒＴｙｐｅ＊ｋ＋ｋ２）は、ストリップシンボルｋにおいて選択されるべきトーンサブセットのインデックスを表し、ここで、各算術演算子（＋，２，＊，／）は、Ｎの領域で規定され、Ｎは素数であり、例えば、Ｎ＝９７である。
【０１０５】
ｂｓｓＳｌｏｐｅＩｎｄｅｘは、セルスロープ値のインデックスであり、好ましくはセルの各セクタについて同一であり、隣接セルは、ｂｓｓＳｌｏｐｅＩｎｄｅｘに関して異なる値を有するべきである。パラメータｂｓｓＳｌｏｐｅＩｎｄｅｘは、０，１，・・・，Ｎ１−１に等しく、ここで、Ｎ１≦Ｎである。１つの実施形態において、Ｎ１＝９６である。
【０１０６】
ｂｓｓＳｅｃｔｏｒＴｙｐｅは、セクタのインデックスである。例えば、セクタタイプＴが、セット{０，１，・・・，５}、{０，１}または{０，１，２}にあると仮定する。所与の基地局における隣接セクタは、Ｔの異なる値を有するべきである。
【０１０７】
ｆは、基地局のセクタにおける関数である。
【０１０８】
ｋは、ストリップシンボル期間のインデックスであり、ここでｋ＝Ｌ＊１０＋ｍである。ここで、ｍは、ビーコンスロットにおけるストリップシンボルインデックスであり、例えば、ｍは、セット{０，１，・・・，９}における値であり、Ｌは、ウルトラスロットにおけるビーコンスロットインデックスであり、例えば、Ｌは、セット{０，１，・・・，１７}における値である。
【０１０９】
わずかに異なる形式で表現され、
ｋ＝Ｌ＊１０＋ｍ
ｔｅｍｐ０＝ｂｓｓＳｅｃｔｏｒＴｙｐｅ＊ｋ＋ｋ＊ｋ
ｔｅｍｐ１＝ｉｍｏｄ（ｔｅｍｐ０、Ｎ）
ｆ（ｂｓｓＳｌｏｐｅＩｎｄｅｘ、ｂｓｓＳｅｃｔｏｒＴｙｐｅ，ｋ）＝ｍｏｄ（ｔｅｍｐ１＊（ｂｓｓＳｌｏｐｅＩｎｄｅｘ＋１），Ｎ）であり、
ここで、整数ｘおよびｍに関して、モジュロ関数（modulo function）ｍｏｄ（ｘ，ｍ）は、ｍｏｄ（ｘ，ｍ）＝ｘ−ｍ＊ｆｌｏｏｒ（ｘ／ｍ）として定義され、ここで関数ｆｌｏｏｒ（ｘ）は、ｘ以下の最大の整数として定義され、整数ｘおよびｍに関して、逆モジュロ関数ｉｍｏｄ（ｘ，ｍ）は、ｙに等しく、ここでｍｏｄ（ｘ＊ｙ，ｍ）が１に等しいなら１≦ｙ≦ｍである。ｍｏｄ（ｘ，ｍ）がゼロであるなら、ｉｍｏｄ（ｘ，ｍ）は、０に設定される。
【０１１０】
様々な実施形態において、第１のトーンサブセットホッピングシーケンスは、セル識別子、例えばスロープ値の関数である。様々な実施形態において、第１のトーンセットホッピングシーケンスも、セクタ識別子値の関数である。
【０１１１】
図１３は、様々な実施形態に従って実施される例示的な基地局１３００の図である。例示的な基地局１３００は、バス１３１０を介してともに結合される受信器モジュール１３０２、送信器モジュール１３０４、プロセッサ１３０６、Ｉ／Ｏインタフェース１３０７、およびメモリ１３０８を含み、バス１３１０を介して、様々な要素が、データおよび情報を交換する。メモリ１３０８は、ルーチン１３１２およびデータ／情報１３１４を含む。プロセッサ１３０６、例えばＣＰＵは、ルーチン１３１２を実行し、基地局１３００の動作を制御しかつ方法を実施するためにメモリ１３０８内のデータ／情報１３１４を使用する。
【０１１２】
受信器モジュール１３０２、例えばＯＦＤＭ受信器は、受信アンテナ１３０３に結合され、受信アンテナ１３０３を介して、基地局１３００は、無線端末からアップリンク信号を受信する。送信器モジュール１３０４、例えばＯＦＤＭ送信器は、送信アンテナ１３０５に結合され、送信アンテナ１３０５を介して、基地局は、無線端末へダウンリンク信号を伝送する。ダウンリンク信号は、第１の時間期間トーンサブセットホッピングシーケンスに従うヌルトーンのセットおよび非ヌルトーンのセットを含む第１の時間期間の間に、ストリップシンボル信号を含み、第１の時間期間の間の非ヌルトーンは、同報通信制御情報を運ぶ。ダウンリンク信号は、第２の時間期間の間に通信される信号、例えばユーザデータを運ぶＯＦＤＭ信号、および第４の時間期間の間に通信される信号、例えばビーコントーン信号および意図的なトーンブロックヌル信号も含む。様々な実施形態において、基地局１３００は、複数のセクタ、例えば３個のセクタを含む。いくつかの実施形態において、複数の受信器／送信器モジュール対は、各セクタに対応する。
【０１１３】
Ｉ／Ｏインタフェース１３０７は、基地局をインターネットおよび／または他のネットワークノード、例えば他の基地局、ルータ、ＡＡＡノード、ホームエージェントノード（home agent node）などに結合する。Ｉ／Ｏインタフェース１３０７は、基地局１３００をバックホールネットワーク（backhaul network）に結合することによって、ネットワーク取り付けのそのポイントとして異なる基地局を使用して、無線端末が他の無線端末との通信セッションに参加することを、基地局１３００取り付けポイントを使用して可能にする。
【０１１４】
ルーチン１３１２は、通信ルーチン１３１６および基地局制御ルーチン１３１８を含む。通信ルーチン１３１６は、基地局１３００によって実施される様々な通信プロトコルを実行する。基地局制御ルーチン１３１８は、受信器制御モジュール１３２０、送信器制御モジュール１３２２、時間期間のタイプ決定モジュール１３３３、Ｉ／Ｏインタフェース制御モジュール１３２４、第１の期間トーンサブセット決定モジュール１３２６、第１の期間シンボル生成モジュール１３２８、第４の期間シンボル生成モジュール１３３０、第２の期間シンボル生成モジュール１３３２、および第２の期間トーンホッピングモジュールを含む。
【０１１５】
受信器制御モジュール１３２０は、受信器１３２０の動作、例えば取り付けポイントによって使用されるアップリンクキャリア周波数に受信器を同調し、タイミング調整およびパワーレベル調整を制御し、かつアップリンクＯＦＤＭシンボル回復および復号動作を制御することを制御する。Ｉ／Ｏインタフェース制御モジュール１３２４は、Ｉ／Ｏインタフェース１３０７の動作を制御し、例えばバックホールを介して通信されるパケットの伝送および回復を制御する。
【０１１６】
送信器制御モジュール１３２２は、送信器モジュール１３０４の動作を制御する。送信器モジュール制御モジュール１３２２は、第１の時間期間制御モジュール１３３４、第４の時間期間制御モジュール１３３６、および第２の時間期間制御モジュール１３３８を含む。第１の時間期間制御モジュール１３３４は、第１の時間期間の間の送信器動作、例えばその間に制御情報を運ぶストリップシンボルが通信される、基地局によって使用される繰り返しダウンリンク構造内の所定の時間期間を制御する。第４の時間期間制御モジュール１３３６は、第４の時間期間の間の送信器動作、例えばその間にビーコン信号およびトーンブロックヌル信号の１つが通信される、基地局によって使用される繰り返しダウンリンク構造内の所定の時間間隔を制御する。第２の時間期間制御モジュール１３３８は、第２の時間期間の間の送信器動作、例えばその間にユーザデータが通信される、繰り返しダウンリンク構造内の所定の時間期間を制御する。いくつかの実施形態において、繰り返しダウンリンクタイミング構造は、索引が付けられた第３の時間期間の繰り返しシーケンス内に再分割され、各第３の時間期間は、複数の第１の時間期間、複数の第２の時間期間、および複数の第４の時間期間内に区分される（partitioned）。
【０１１７】
時間期間のタイプ決定モジュール１３３３は、時間間隔、例えば現在の時間間隔が、基地局によって使用される繰り返しダウンリンクタイミング構造内の第１の時間期間、第２の時間期間、または第４の時間期間の１つであるかどうかを決定する。モジュール１３３３の決定は、信号生成および伝送で使用される様々ないずれかのモジュール間の伝送制御で使用される。例えば、モジュール１３３３は、考慮中の時間が第１のタイプの時間期間に対応することを決定するなら、モジュール１３２６、１３２８、および１３３４が使用され、一方、モジュール１３３３は、考慮中の時間が第４のタイプの時間期間に対応することを決定するなら、モジュール１３３０および１３３６が使用される。
【０１１８】
第１の期間トーンサブセット決定モジュール１３２６は、第１のトーンセットホッピングシーケンスに従って、パワーが伝送されるべきでないトーンサブセットを第１の繰り返し時間期間について決定し、パワーが伝送されるべきでない前記決定されたトーンサブセットは、基地局取り付けポイントによって使用されるトーンのダウンリンクブロックにおけるトーンの少なくとも３０％を含む。第１の期間トーンサブセット決定モジュール１３２６は、また第１のトーンセットサブセットホッピングシーケンスに従って、パワーが伝送されるべきトーンサブセットを第１の繰り返し時間期間について決定する。様々な実施形態において、基地局取り付けポイントに関するダウンリンクトーンブロックは、繰り返しダウンリンク構造内の所与の第１の時間期間について、パワーが伝送されるべきでないトーンサブセットおよびパワーが伝送されるべきトーンサブセットに区分される。例えば、図１０の情報を使用する例示的な実施形態において、９７個の異なる区分が、それぞれインデックス数に関連付けられて示され、任意の所与の第１の時間間隔について、これら９７個の異なる区分の１つが選択される。いくつかの実施形態において、第１の期間トーンサブセット決定モジュール１３２６は、セル識別子、セクタタイプ識別子、および繰り返しダウンリンクタイミング構造内の第１の時間期間インデックスの関数として決定を実行する。図９は、基地局１３００の一部として、例えば基地局１３００におけるモジュール１３２６として実施されることができる例示的なトーンセット割り当てモジュール９００を記載する。
【０１１９】
第１の期間シンボル生成モジュール１３２８は、第１の時間期間の間に通信されるべきＯＦＤＭシンボルを生成する。第１の期間シンボル生成モジュール１３２８は、どのトーンが、変調シンボル、例えば制御同報通信データを搬送する変調シンボルを運び、かつ第１の時間期間の間に通信されるべきＯＦＤＭシンボルを生成するべきであるかを決定するために、モジュール１３２６からパワーが伝送されるべき決定されたトーンサブセットを使用する。
【０１２０】
第２の期間シンボル生成モジュール１３３２は、第２の時間期間についてのＯＦＤＭシンボルのシーケンスを生成し、少なくともいくつかのＯＦＤＭシンボルは、ユーザデータ、例えばダウンリンクトラフィックチャネルセグメントの一部を搬送する変調シンボルを運ぶ。第２の期間シンボル生成モジュールによって使用される第２の期間トーンホッピングモジュール１３３５は、物理トーンに対する論理チャネルトーンに関するトーンホッピングを実行し、第１の期間トーンサブセット決定モジュール１３２６とは異なる関数を使用する。
【０１２１】
第４の期間シンボル生成モジュール１３３０は、繰り返しタイミング構造内の所与の第４の時間期間について、２つのシンボルワイド（wide）ビーコン信号およびダウンリンクトーンブロックヌル信号の一方を生成する。第４の期間シンボル生成モジュール１３３０は、ビーコンモジュール１３３１を含む。ビーコンモジュール１３３１は、ビーコン信号を生成し、前記生成されたビーコン信号は、繰り返しタイミング構造に従って、前記第４の時間期間のいくつかの間に伝送されるべきであり、前記生成されたビーコン信号は、前記時間の第２の期間の間に伝送される任意のトーンより高いトーン当たりの信号エネルギを有するビーコントーンを含む狭帯域信号である。
【０１２２】
データ／情報１３１４は、ダウンリンクトーンブロック情報１３４０、格納された送信器制御情報１３４２、基地局セル識別子情報１３４４、基地局セクタ識別子情報１３４６、第１の期間トーンサブセットホッピング式情報１３４８、タイミング構造情報１３５０、トーンパワーレベル情報１３５２、第１の期間トーンサブセットインデックスマッピング情報１３５４、繰り返しタイミング構造内の現在時間情報１３５５、ウルトラスロット内のビーコンスロットインデックス１３５６、ビーコンスロット内の第１の時間期間ストリップシンボルインデックス１３５８、第１の時間期間シンボルインデックス１３６０、現在の第１の時間間隔についての決定されたトーンサブセットインデックス１３６２、第１の期間シンボルについての制御データ１３６４、およびユーザデータ１３６６を含む。
【０１２３】
ダウンリンクトーンブロック情報１３４０は、基地局取り付けポイントによって使用されるダウンリンクトーンのセット、例えば１１３個の連続するトーンのセット、およびダウンリンクトーンブロックに関連するキャリア周波数を含む。格納された送信器制御情報１３４２は、モジュール１３３２によって使用される情報を含む。基地局セル識別子情報１３４４は、基地局１３００に関連付けられた局所的に唯一のセル識別子、例えば範囲０、・・・、９５内の整数などの基地局スロープ値、およびそれぞれスロープ値に関連付けられる基地局スロープインデックス値を含む。基地局セクタ識別子情報１３４６は、基地局セクタ識別子、および基地局セクタタイプ値、例えば送信器モジュール１３０４のセクタに関連付けられた基地局セクタタイプ識別子、例えばセット{０、１、２}における値を含む。
【０１２４】
第１の期間トーンサブセットホッピング式情報１３４８は、トーンサブセットホッピングシーケンスの生成において第１の期間トーンサブセット決定モジュール１３２６によって使用される情報、例えば、基地局セル識別子、基地局セクタタイプ識別子、および繰り返しタイミング構造内の第１の期間インデックスに関連する情報を含む。
【０１２５】
タイミング構造情報１３５０は、ＯＦＤＭシンボル伝送時間間隔情報、および例えばスロット情報、スーパスロット情報、ビーコンスロット情報、ウルトラスロット情報などの基地局送信器１３０４によって使用される繰り返しダウンリンク構造内の複数のＯＦＤＭシンボル伝送時間間隔のグループ分けに関連する情報を含む。タイミング構造情報１３５０は、第１の時間期間を識別する情報、第２の時間期間を識別する情報、第４の時間期間を識別する情報、第３の時間期間を識別する情報、および様々なタイプの時間期間に関連付けられる索引付け、例えばウルトラスロット内の第１のタイプの時間期間の第１の発生、およびウルトラスロット内の第１のタイプの時間期間の第２の発生などを含む情報も含む。
【０１２６】
トーンパワーレベル情報１３５２は、様々なタイプのダウンリンク信号、例えばビーコントーン信号変調シンボルパワーレベル情報、非ヌルトーンの第１の期間変調シンボルパワーレベル、第２の時間期間の間に運ばれる少なくともいくつかの変調シンボルについて使用されるトラフィックチャネルパワーレベル情報、第２の時間期間の間に運ばれる少なくともいくつかの変調シンボルについて使用されるパイロットチャネルパワーレベル情報に関連付けられたパワーレベル情報を含む。
【０１２７】
第１の期間トーンサブセットインデックスマッピング情報１３５４は、トーンサブセットインデックスが、決定モジュール１３２６によって使用されるべきものであることを決定するなら、所与の第１の時間期間の間に使用される識別されたヌルトーンのセットおよび識別された非ヌルトーンのセットを、複数のトーンサブセットインデックスのそれぞれを関連付ける情報を含む。図１０の表１０００は、第１の期間トーンサブセットインデックスマッピング情報１３５４の実施例である。
【０１２８】
繰り返しタイミング構造内の現在時間情報１３５５は、基地局送信器モジュール１３０４によって使用される繰り返しダウンリンクタイミング構造における現在の位置を識別する。ウルトラスロット内のビーコンスロットインデックス１３５６、例えば範囲０、・・・、１７内の整数インデックス値Ｌは、現在時間がどのウルトラスロット内のビーコンスロットに対応するかを識別する。ビーコンスロット内の第１の時間期間ストリップシンボルインデックス１３５８、例えば範囲０、・・・、９内の整数値ｍは、時間が第１の時間期間に対応するとき、現在時間がビーコンスロット内のどの索引が付けられたストリップシンボルに対応するかを識別する。第１の時間期間シンボルインデックス１３６０、例えば整数値ｋは、ウルトラスロットの第１の時間期間の間のストリップシンボルについて使用されるインデックス値を識別し、例えばｋは、範囲０、・・・、１７９内の整数値である。いくつかの実施形態において、ｋは、第１のトーンサブセット決定モジュール１３２６によって、値Ｌおよびｍの関数として生成される。現在の第１の時間間隔についての決定されたトーンサブセットインデックス１３６２は、基地局セル識別子１３４４、基地局セクタ識別子１３４６、および第１の時間期間ストリップシンボルインデックス１３６０の関数である決定モジュール１３２６の結果である。
【０１２９】
第１の期間シンボルについての制御データ１３６４は、非ヌルトーン上の第１の時間期間の間に同報通信される変調シンボルで運ばれるべき制御データ／情報を含む。ユーザデータ１３６６は、第２の時間期間の間にトラフィックチャネルセグメントの変調シンボルを介して運ばれるべきデータ／情報、例えば音声、ビデオ、音響、テキスト、画像、ファイルなどを含む。
【０１３０】
様々な実施形態において、第２の繰り返し時間期間の間に、ダウンリンクトーンのブロック、例えば１１３個のトーンのダウンリンクトーンブロックは、第２の時間期間の間に非ゼロ変調シンボルを通信するために使用可能である前記ダウンリンクトーンブロックトーンの少なくとも７０％である情報を伝送するために使用される。いくつかの実施形態において、第２の時間期間は、第１の時間期間の持続期間の少なくとも１０倍の持続期間を有する。一つの例示的な実施形態において、第１時間期間は、１個のＯＦＤＭシンボル伝送時間間隔の持続期間を有し、第２の時間期間は、１１２個のＯＦＤＭシンボル伝送時間間隔の持続期間を有する。いくつかの実施形態において、タイミング構造は、複数、例えば２個または３個の第１の時間期間がともにグループに分けられるものである。いくつかの実施形態において、タイミング構造は、第１の時間期間の所定のグループ分けが、第４の時間期間、例えばビーコン信号が通信されることができる第４の時間期間と同じ持続期間を有するものである。
【０１３１】
様々な実施形態において、第１の期間トーンサブセット決定モジュール１３２６は、基地局送信器モジュール１３０４によって使用される繰り返しダウンリンクタイミング構造における所与の第１の時間期間に関して、複数の所定のトーンサブセットのどの１つが使用されるか、例えば図１０の表１０００からのどのトーンサブセットインデックスが使用されるかを決定する。いくつかの実施形態において、所定のトーンサブセットインデックス値の数は、素数、例えば９７である。
【０１３２】
様々な実施形態において、第１および第２の時間期間は、所定の基準で繰り返す第３の時間期間内で生じる。例えば、第３の時間期間は、各第１の時間期間が、ストリップシンボル時間期間であることができ、第２の時間期間が、ユーザデータを運ぶために使用される連続するＯＦＤＭシンボル伝送時間期間のセットであることができる例示的なウルトラスロットであり得る。
【０１３３】
いくつかの実施形態において、第１の期間トーンサブセット決定モジュール１３２６は、以下の式を実施するために第１の期間トーンサブセットホッピング式情報１３４８を使用する。ｆ（ｂｓｓＳｌｏｐｅＩｎｄｅｘ，ｂｓｓＳｅｃｔｏｒＴｙｐｅ，ｋ）＝（ｂｓｓＳｌｏｐｅＩｎｄｅｘ＋１）／（（ｂｓｓＳｅｃｔｏｒＴｙｐｅ＊ｋ＋ｋ２）、ここで、ｆ（ｂｓｓＳｌｏｐｅＩｎｄｅｘ，ｂｓｓＳｅｃｔｏｒＴｙｐｅ，ｋ）は、ｂｓｓＳｌｏｐｅＩｎｄｅｘ値およびｂｓｓＳｅｃｔｏｒＴｙｐｅ値を有する基地局セクタについて、ストリップシンボルｋにおいて選択されるべきトーンサブセットのインデックスを表し、各算術演算子（＋，２，＊，／）は、Ｎの領域で規定され、Ｎは素数であり、ｂｓｓＳｌｏｐｅＩｎｄｅｘは、{０，１，・・・，Ｎ１−１}に対する値のセット内の局所的に唯一のセル識別子値であり、ここで、Ｎ１≦Ｎであり、Ｎ１はゼロではない正の整数であり、ｂｓｓＳｅｃｔｏｒＴｙｐｅは、セット{０，１，・・・，５}、{０，１}、および{０，１，２}の中の１つからのセクタのセクタ識別子値インデックスであり、ｆは、基地局のセクタにおける関数であり、ｋは、負ではない整数である。いくつかのそのような実施形態において、Ｎ＝９７およびＮ１＝９６である。いくつかの実施形態において、ｋ＝Ｌ＊ｎ＋ｍであり、ここでｍは、第１のタイプの時間スロットにおけるストリップシンボルインデックスであり、ｍは、負ではない整数であり、Ｌは、第２のタイプの時間スロットにおける第１のタイプの時間スロットインデックスであり、ｎは、第１のタイプの時間スロットにおける索引が付けられたストリップシンボルの数である。いくつかの実施形態において、前記第１のタイプの時間スロットは、ビーコンスロットであり、前記第２のタイプの時間スロットは、ウルトラスロットであり、ここで、ｍは、セット{０，１，・・・，９}における値であり、Ｌは、セット{０，１，・・・，１７}における値であり、ｎは１０である。
【０１３４】
いくつかの実施形態において、第４および第１の時間期間は、同報通信チャネルのために確保された時間に属し、第４の時間期間は、ビーコンサブチャネルのために確保された時間間隔に対応し、一方、第１の時間期間は、非ビーコン同報通信サブチャネルのために確保された時間に対応する。いくつかの実施形態において、第１および第４の時間期間の両方の間の伝送シンボル時間間隔は、ストリップシンボル時間間隔と呼ばれ、ストリップシンボル時間間隔は、さらに、ビーコンストリップシンボル時間間隔および非ビーコンストリップシンボル時間間隔として分類される。
【０１３５】
図１４Ａおよび図１４Ｂの組み合わせからなる図１４は、様々な実施形態に従う無線端末の動作の例示的な方法のフローチャートである。動作は、無線端末がパワーオンされかつ初期化されるステップ１４０２で始まる。動作は、ステップ１４０２からステップ１４０４へ進む。
【０１３６】
ステップ１４０４において、無線端末は、基地局取り付けポイント送信器から、第４の時間期間の間のビーコン信号を受信する。動作は、ステップ１４０４からステップ１４０６へ進む。ステップ１４０６において、無線端末は、基地局取り付けポイント送信器から受信したビーコン信号に対応するセルおよび／またはセクタ識別子情報（１４０８、１４１０）を決定する。動作は、ステップ１４０６からステップ１４１２へ進む。ステップ１４１２において、無線端末は、タイミング同期化情報を決定するために受信したビーコン信号を使用する。例えば、無線端末は、第３の時間期間、例えば繰り返しダウンリンクタイミング構造内のウルトラスロットの開始時間を決定するように同期化情報を決定する。次に、ステップ１４１４において、無線端末は、基地局取り付けポイント送信器に対して無線端末のダウンリンク受信を同期化するために、ステップ１４１４から決定された同期化情報を使用する。動作は、ステップ１４１４からステップ１４１６へ進む。
【０１３７】
ステップ１４１６において、無線端末は、進行（ongoing）基準で基地局取り付けポイント送信器からダウンリンク信号を受信する。動作は、ステップ１４１６からステップ１４１８へ進む。ステップ１４１８において、無線端末は、第３の時間期間内の現在のシンボル時間が、第１、第２、または第３の時間期間に対応するかどうかを決定する。第３の時間期間内の現在のシンボル時間が、第４の時間期間に対応するなら、動作は、ステップ１４１８からステップ１４２０へ進み、第３の時間期間内の現在のシンボル時間が、第２の時間期間に対応するなら、動作は、ステップ１４１８からステップ１４２２へ進み、第３の時間期間内の現在のシンボル時間が、第１の時間期間に対応するなら、動作は、ステップ１４１８から接続ノードＡ１４２４を介してステップ１４２６へ進む。
【０１３８】
ステップ１４２０において、無線端末は、受信したならビーコン信号を監視し、回復しかつ処理する。いくつかの実施形態において、いくつかの第４の時間期間は、ビーコン信号を運び、一方、いくつかの第４の時間期間は、基地局取り付けポイント送信器による意図的なダウンリンクトーンブロックヌルに対応する。動作は、ステップ１４２０からステップ１４４２へ進む。
【０１３９】
ステップ１４２２において、無線端末は、ユーザデータを含むＯＦＤＭシンボルを回復しかつ処理する。ステップ１４２２は、サブステップ１４２３を含む。サブステップ１４２３において、無線端末は、論理チャネルトーンを物理チャネルトーンへマッピングするためにトーンホッピング式を使用し、前記トーンホッピング式は、前記第１の時間期間の間に使用されたトーンサブセットホッピングシーケンス式とは異なる。様々な実施形態において、サブステップ１４２３のホッピング関数は、セルＩＤ情報１４０８およびセクタＩＤ情報１４１０の少なくとも１つを入力として使用する。動作は、ステップ１４２２からステップ１４４２へ進む。
【０１４０】
ステップ１４２６において、無線端末は、ストリップシンボルを回復しかつ処理する。ステップ１４２６は、サブステップ１４２８、１４３０、１４３２、１４３４、１４３６、および１４３８を含む。サブステップ１４２８において、無線端末は、第３の時間期間内の第１の時間期間インデックス、例えば値ｋ１４２９を決定する。動作は、サブステップ１４２８からサブステップ１４３０へ進む。
【０１４１】
サブステップ１４３０において、無線端末は、第３の時間期間内の第１の時間期間インデックス１４２９、決定されたセル識別子情報１４０８、および決定されたセクタ識別子情報１４１０の関数として、第１の時間期間トーンサブセットインデックス１４３１を決定する。例えば、サブステップ１４３０において、フローチャート１２００および第１の時間期間についての基地局１３００に関して前述された同一のトーンサブセットホッピング関数が、使用されることができる。動作は、サブステップ１４３０からサブステップ１４３２へ進む。サブステップ１４３２において、無線端末は、ヌルトーンのサブセットおよび非ヌルトーンのサブセットを決定するために、決定された第１の時間期間トーンサブセットインデックス値１４３１、およびトーンサブセットマッピング情報に対する格納された第１の時間期間トーンサブセットインデックス１４３３を使用する。一つの例示的な実施形態において、マッピング情報１４３３は、図１０の表１０００の情報を含むことができる。動作は、サブステップ１４３２からサブステップ１４３４へ進む。
【０１４２】
サブステップ１４３４において、無線端末は、ストリップシンボルの非ヌルトーンの識別されたサブセットによって運ばれる変調シンボル値を回復する。動作は、サブステップ１４３４からサブステップ１４３６へ進む。サブステップ１４３６において、無線端末は、回復された変調シンボル値によって運ばれる同報通信制御データを回復する。動作は、サブステップ１４３６からサブステップ１４３８へ進む。サブステップ１４３８において、無線端末は、基地局取り付けポイント送信器が、取り付けポイントのトーンサブセットホッピング割り当てシーケンスに従って、第１の時間期間の間に決定されたヌルトーンサブセットのトーンで伝送することを止める知識を使用して、チャネル推定を実行する。様々な実施形態において、サブステップ１４３４、１４３６、および１４３８の動作は、異なる順番で実行され、かつ／または１つ以上のサブステップ１４３４、１４３６、１４３８は、共同で実行される。例えば、チャネル推定は、同報通信制御データ回復に先行することができる。動作は、サブステップ１４２６から接続ノードＢ１４４０を介してステップ１４４２へ進む。
【０１４３】
ステップ１４４２において、無線端末は、第３の時間期間内のシンボル時間インデックスを更新する。ステップ１４４２への経路に応じて、いくつの実施形態において、インデックス更新の量は異なる。例えば、一つの実施形態において、第４の時間期間は、２個の連続するＯＦＤＭシンボル伝送時間期間を占め、第２の時間期間は、１１２個の連続するＯＦＤＭシンボル伝送時間期間を占め、かつ第１の時間期間は、単一のＯＦＤＭシンボル伝送時間期間を占める。ステップ１４４２の更新は、第３の時間期間が、例えば変調動作を使用して完了したとき、第３の期間索引付けが再開始することも考慮する。いくつかの実施形態において、第１の時間期間トーンサブセットインデックス値ｋは、新たな第３の時間期間、例えば新たなウルトラスロットの始まりで再設定され、例えば０である。
【０１４４】
動作は、ステップ１４４２からステップ１４１８へ進み、ステップ１４１８で、無線端末は、第３の時間期間内の現在のシンボル時間インデックスが、第１、第２、または第４の時間期間に対応するかどうかを決定する。
【０１４５】
図１５は、様々な実施形態に従って実施される例示的な無線端末１５００の図である。例示的な無線端末１５００は、図１４のフローチャート１４００の方法を実施することができる。例示的な無線端末１５００は、様々な要素がデータおよび情報を交換することができるバス１５１０を介してともに結合された受信器モジュール１５０２、送信器モジュール１５０４、プロセッサ１５０６、Ｉ／Ｏデバイス１５０７、およびメモリ１５０８を含む。メモリ１５０８は、ルーチン１５１２およびデータ／情報１５１４を含む。プロセッサ１５０６、例えばＣＰＵは、無線端末の動作を制御しかつ方法を実施するために、ルーチン１５１２を実行しかつメモリ１５０８内のデータ／情報１５１４を使用する。
【０１４６】
受信器モジュール１５０２、例えばＯＦＤＭ受信器は、それを介して無線端末１５００が基地局取り付けポイント送信器からダウンリンク信号を受信する受信アンテナ１５０３に結合され、前記ダウンリンク信号は、ビーコン信号、ストリップシンボル信号、およびユーザデータ信号を含む。送信器モジュール１５０４、例えばＯＦＤＭ送信器は、それを介して無線端末１５００が基地局セクタ取り付けポイントへアップリンク信号を伝送する伝送アンテナ１５０５に結合される。いくつかの実施形態において、同一のアンテナが、受信器モジュール１５０２および送信器モジュール１５０４について、例えば二重（duplex）モジュールとともに使用される。
【０１４７】
Ｉ／Ｏデバイス１５０７は、例えば、マイクロホン、キーボード、キーパッド、マウス、スイッチ、カメラ、スピーカ、ディスプレイなどを含む。Ｉ／Ｏデバイス１５０７は、無線端末１５００のユーザが、データ／情報を入力し、出力データ／情報にアクセスし、アプリケーションを制御し、かつ少なくともいくつかの機能を開始かつ／または制御し、例えば通信セッションを開始することを可能にする。
【０１４８】
ルーチン１５１２は、通信ルーチン１５１６および無線端末制御ルーチン１５１８を含む。通信ルーチンは、無線端末によって使用される様々な通信プロコトルを実施する。無線端末制御ルーチン１５１８は、受信器制御モジュール１５２０、送信器制御モジュール１５２２、Ｉ／Ｏデバイス制御モジュール１５２４、タイミング同期化決定モジュール１５２６、タイミング同期化調整モジュール１５２８、時間期間のタイプ決定モジュール１５３０、第１の時間期間処理モジュール１５３４、第４の時間期間処理モジュール１５４８、第２の時間期間処理モジュール１５５２、取り付けポイント識別モジュール１５５６、およびタイミングモジュール１５５８を含む。
【０１４９】
受信器制御モジュール１５２０は、受信器モジュール１５０２の様々な機能、例えばサーチキャリアサーチルーチンを制御し、かつ受信器をダウンリンクキャリア周波数に調整することを制御する。送信器制御モジュール１５２２は、送信器モジュール１５０４の機能を制御し、例えばモジュール１５２２は、アップリンクキャリア設定、アップリンク周波数およびタイミング調整、アップリンクＯＦＤＭシンボル構成および伝送、および送信器パワーレベルを制御する。Ｉ／Ｏデバイス制御モジュール１５２４は、Ｉ／Ｏデバイス１５０７の動作を制御する。
【０１５０】
タイミング同期化決定モジュール１５２６は、繰り返し第３の時間期間、例えば基地局取り付けポイント送信器のウルトラスロットに対するタイミング同期化情報を決定する。例えば、タイミング同期化決定モジュール１５２５６は、決定されたタイミング同期化情報に対して１つ以上の受信されたビーコン信号を使用する。タイミング同期化調整モジュール１５２８は、モジュール１５２６からの決定されたタイミング同期化情報を使用して、ダウンリンク受信を同期化する。例えば、タイミング同期化調整モジュール１５２８は、ストリップシンボル信号が回復されることができるように、ダウンリンク受信を同期化し、ストリップシンボル信号は、同一の基地局取り付けポイントから受信され、同期化情報が得られる受信されたビーコン信号に対応する。
【０１５１】
時間期間のタイプ決定モジュール１５３０は、基地局取り付けポイントによって使用される繰り返しダウンリンクタイミング構造内の様々な異なるタイプの時間期間、例えば、その間に同報通信制御データを運ぶストリップシンボルが通信される第１のタイプの時間期間、その間にビーコン信号およびダウンリンクトーンブロックヌルの一方が通信される第４のタイプの時間期間、およびその間にユーザデータを含む複数のＯＦＤＭシンボルが通信される第２のタイプの時間期間を識別する。時間期間のタイプ決定モジュール１５３０は、より大きな繰り返し第３の時間期間内の第１の時間期間を識別する第１の時間期間識別モジュール１５３２を含み、例えば、モジュール１５３２は、ウルトラスロット内のストリップシンボル時間期間を識別する。
【０１５２】
第１の時間期間処理モジュール１５３４は、第１の時間期間の間に通信される受信されたストリップシンボルを回復しかつ処理する。ストリップシンボルを伝送する基地局セクタ取り付けポイントは、第１の時間期間、ストリップシンボル時間期間の間、対応するトーンサブセットホッピングシーケンスを使用するが、第３の時間期間内の他の時間期間、例えばビーコンシグナリング時間期間およびユーザデータシグナリング時間期間の間、そのトーンサブセットホッピングシーケンスを使用しない。無線通信システムは、局所的な領域内の異なる基地局セクタ取り付けポイント送信器に、異なるトーンサブセットホッピングシーケンスを使用する。第１の時間期間処理モジュール１５３４は、第１の時間期間インデックス決定モジュール１５３６、第１の時間期間トーンサブセットインデックス決定モジュール１５３８、ヌルサブセット／非ヌルサブセット決定モジュール１５４０、変調シンボル回復モジュール１５４２、制御データ回復モジュール１５４４、およびチャネル推定モジュール１５４６を含む。
【０１５３】
第１の時間期間決定モジュール１５３６は、第３の時間期間で処理される第１の時間期間のインデックスを決定する。例えば、いくつかの実施形態において、各第３の時間期間、例えばウルトラスロットは、１８０個の索引が付けられた第１の時間期間、ストリップシンボル時間期間を含み、ｋは、範囲０、・・・、１７９内のインデックス値である。
【０１５４】
第１の時間期間トーンサブセットインデックス決定モジュール１５３８は、第３の時間期間内の識別された第１の時間期間、例えばモジュール１５３６からのインデックス値、セル識別子情報、およびセクタ識別子情報の関数として、第１の時間期間トーンサブセットインデックスを決定する。例えば、処理される受信されたストリップシンボルを伝送した基地局取り付けポイントに対応するセルおよびセクタ識別子情報は、いくつかの実施形態において、同一の基地局取り付けポイントからビーコン信号を介して通信される情報から回復される。第１の時間期間トーンサブセットインデックス決定モジュール１５３８は、いくつかの実施形態において、例えば図１２、図１３、または図１４に関して前述されたトーンサブセットホッピング関数を使用する。一つの例示的な実施形態において、第１の時間期間トーンサブセットインデックス決定モジュール１５３８は、図１０の表１０００の９７個のインデックスの１つを決定する。
【０１５５】
ヌルサブセット／非ヌルサブセットモジュール１５４０は、モジュール１５３８によって決定された第１の時間期間トーンサブセットインデックス、およびトーンサブセットマッピング情報に対する格納された第１の時間期間トーンサブセットインデックスを使用して、ヌルトーンのサブセットおよび非ヌルトーンのサブセットを決定する。変調シンボル回復モジュール１５４２は、ストリップシンボルの非ヌルトーンによって運ばれる変調シンボル値を回復する。制御データ回復モジュール１５４４は、モジュール１５４２から回復された変調シンボル値によって運ばれる同報通信制御データを回復する。チャネル推定モジュール１５４６は、基地局取り付けポイント送信器が、取り付けポイントのトーンサブセットホッピング割り当てシーケンスに従って、第１の時間期間の間に決定されたヌルトーンサブセットのトーンで伝送することを止める知識を使用して、チャネル推定を実行する。
【０１５６】
第４の時間期間処理モジュール１５４８は、第４の時間期間の間に受信する信号、例えばビーコン信号および意図的なダウンリンクトーンブロックヌルを処理する。第４の時間期間処理モジュール１５４８は、ビーコンモジュール１５５０を含み、ビーコンモジュール１５５０は、受信したビーコン信号を処理する、例えばビーコントーンを識別し、ビーコントーンのシーケンスを識別し、かつ／または受信したビーコン信号に対応するセルおよび／またはセクタ識別子情報を決定する。取り付けポイント識別情報モジュール１５５６は、対象の取り付けポイント、例えば無線端末が接続を求めまたは現在接続される取り付けポイントに対応する識別情報を得るかつ／または決定する。いくつかの実施形態において、無線端末は、ビーコン信号、例えばスロープ値およびセクタインデックス値を介して接続された、セルおよび／またはセクタ識別子情報を受信することができる。取り付けポイント情報モジュール１５５６は、いくつかの実施形態において、そのような情報をさらに処理し、例えば、第１の時間期間トーンサブセットインデックス決定モジュール１５３８によって使用されるスロープインデックス値およびセクタタイプ値を得る。
【０１５７】
第２の時間期間処理モジュール１５５２は、第２の時間期間の間にユーザデータを含むＯＦＤＭシンボルを受信しかつ処理し、前記第２の時間期間は、前記第３の時間期間内にあり、前記第２の時間期間は、第１の時間期間の持続期間の少なくとも１０倍の持続期間を有する。第２の時間期間処理モジュール１５５２は、トーンホッピングモジュール１５５４を含む。トーンホッピングモジュール１５５２は、トーンホッピングを決定するために、物理トーンホッピング関数に対する論理チャネルトーンならびにセルおよび／またはセクタ識別子情報を使用する。第２の時間期間の間にモジュール１５５４によって使用されるトーンホッピング関数は、第１の時間期間の間に使用されるトーンサブセットホッピング関数とは異なる式を使用する。
【０１５８】
タイミングモジュール１５５８は、無線端末１５００に関するシンボルタイミングを維持しかつ更新し、例えば第３の時間期間内のシンボル時間インデックスを更新する。一つの例示的な実施形態において、第１の時間期間は、１個のＯＦＤＭシンボル伝送時間期間の持続期間を有し、第４の時間期間は、２個のＯＦＤＭシンボル伝送時間期間の持続期間を有し、かつ第２の時間期間は、１１２個のＯＦＤＭシンボル伝送時間期間の持続期間を有する。
【０１５９】
データ／情報１５１４は、ダウンリンクトーンクロック情報１５６０、タイミング構造情報１５６２、トーンパワーレベル情報１５６４、第１の期間トーンサブセットホッピング式情報１５６６、第２の期間トーンホッピング情報１５６８、第１の期間トーンサブセットインデックスマッピング情報１５７０、タイミング同期化情報１５７２、基地局セル識別子情報１５７４、基地局セクタ識別子情報１５７６、繰り返しタイミング構造内の現在の時間情報１５７８、ウルトラスロット内のビーコンインデックス、例えばＬ値１５８０、ビーコンスロット内の第１の時間期間ストリップシンボルインデックス、例えばｍ値１５８２、第１の時間期間ストリップシンボルインデックス、例えばｋ値１５８４、現在の第１の時間間隔に関して決定されたトーンサブセットインデックス１５８６、回復されたストリップシンボル変調シンボル情報１５８８、第１の期間シンボルからの制御データ１５９０、決定されたチャネル推定１５９２、およびユーザデータ１５９４を含む。ダウンリンクトーンブロック情報１５６０は、１つ以上のダウンリンクトーンブロック、例えば、キャリア周波数、トーンブロック内のトーンの数、トーンの周波数などを含む通信システムで使用される１１３個のＯＦＤＭトーンのダウンリンクトーンブロックに対応する情報を含む。タイミング構造情報１５６２は、ＯＦＤＭシンボル伝送時間期間情報を含む繰り返しダウンリンクタイミング構造の情報、およびＯＦＤＭシンボル伝送時間期間、例えばウルトラスロットなどの第３の時間期間、ストリップシンボル時間期間などの第１の時間期間、ユーザデータシグナリング時間期間などの第２の時間期間、およびビーコン信号および意図的なダウンリンクトーンブロックヌルの一方のために確保された期間などの第４の時間期間のグループ分けに関連する情報を含む。トーンパワーレベル情報１５６４は、様々なタイプの信号に関連する基地局取り付けポイント伝送パワーレベル情報、例えばビーコン情報、ストリップシンボル同報通信信号、パイロットチャネル、トラフィックチャネルユーザデータ信号などを含む。
【０１６０】
第１のトーン期間トーンサブセットホッピング式情報１５６６は、第１の時間期間トーンサブセットインデックス決定モジュール１５３８によって使用される、例えば第１の時間期間についてのホッピング式の実施における情報を含む。第２の期間トーンホッピング情報１５６８は、第２のトーンの間のダウンリンクトーンホッピングの実行でトーンホッピングモジュール１５５４によって使用される。第１の期間トーンサブセットインデックスマッピング情報１５７０は、例えば図１０の表１０００の情報を含む。
【０１６１】
タイミング同期化情報１５７２は、モジュール１５２６から決定されかつモジュール１５２８によって使用される情報、例えば、無線端末がダウンリンクタイミング構造内のウルトラスロットの始まりに対して同期化することを可能にするオフセット情報を含む。基地局セル識別子情報１５７４は、ストリップシンボルが処理される基地局取り付けポイントに関連付けられるスロープ値および／またはスロープインデックス値などの情報を含む。いくつかの実施形態において、セル識別子情報は、モジュール１５５０および／またはモジュール１５５６から得られかつ／または導出される。基地局セクタ識別子情報１５７６は、ストリップシンボルが処理される基地局取り付けポイントに関連付けられるセクタ値および／またはセクタタイプ値などの情報を含む。いくつかの実施形態において、セクタ識別子情報１５７６は、モジュール１５５０および／またはモジュール１５５６から得られかつ／または導出される。基地局セル識別子情報１５７４および基地局セクタ識別子情報１５７６は、例えば制御入力として、第１の時間期間トーンサブセットインデックス決定モジュール１５３８およびトーンホッピングモジュール１５５４によって使用される。
【０１６２】
繰り返しタイミング構造内の現在の時間情報１５７８は、その無線端末が、ダウンリンク信号を回復するためにそのダウンリンクタイミング構造を同期化した基地局取り付けポイント送信器によって使用される繰り返しダウンリンクタイミング構造内の現在の位置を識別する。ウルトラスロット内のビーコンスロットインデックス１５８０、例えば範囲０、・・、１７内の整数インデックス値Ｌは、ウルトラスロット内のどのビーコンスロットが現在の時間に対応するかを識別する。ビーコンスロット内の第１の時間期間ストリップシンボル１５８３、例えば範囲０、・・・、９内の整数値ｍは、時間が第１の時間期間に対応するとき、索引が付けられたストリップ信号がビーコンスロット内の現在の時間に対応するかを識別する。第１の時間期間ストリップシンボルインデックス１５８４、例えば整数値ｋは、ウルトラスロットの第１の時間期間の間のストリップシンボルに使用されるインデックス値を識別し、ｋは例えば範囲０、・・、１７９内の整数値であり、第１の時間間隔のウルトラスロット内の相対位置を識別する。いくつかの実施形態において、ｋは、第１の時間期間インデックス決定モジュール１５３６によって、値Ｌおよびｍの関数として生成される。現在の第１の時間間隔に関して決定されたトーンサブセットインデックス１５８６は、基地局セル識別子１５７４、基地局セクタ識別子１５７６、および第１の時間期間ストリップシンボルインデックス１５８４の関数である決定モジュール１５３８の結果である。
【０１６３】
回復されたストリップシンボル変調シンボル情報１５８８は、変調シンボル回復モジュール１５４２によって回復された情報を含む。例えば、回復されたストリップシンボル変調シンボル情報１５８８は、所与の回復されたストリップシンボルに関して、ストリップシンボルによって運ばれる５５個または５６個のＱＰＳＫ回復された変調シンボルのセットに対応する情報を含む。第１の期間シンボルに関する制御データ１５９０は、基地局取り付けポイントからストリップシンボルの非ヌルトーンで、第１の時間期間の間に変調シンボル同報通信から回復された制御データ／情報を含む。情報１５９０は、制御データ回復モジュール１５４４の出力である。決定されたチャネル推定１５９２は、チャネル推定モジュール１５４６からの出力であり、処理される第１の時間期間からのストリップ信号に少なくとも一部基づく。いくつかの実施形態において、チャネル推定１５９２は、ストリップ信号情報に完全に基づく。ユーザデータ１３６６は、データ／情報、例えば音声、ビデオ、音響、テキスト、画像、ファイルなどを含み、データ／情報は、第２の時間期間の間にダウンリンクトラフィックチャネルセグメントの変調シンボルを介して受信される。
【０１６４】
図１６は、様々な実施形態に従って情報を通信するためにトーンのブロックを使用する通信デバイス、例えば基地局を動作するモジュールを有する例示的な通信デバイスのブロック図である。モジュール１６０４は、第３の時間期間の間に通信されるべきヌルトーン、非ヌルトーン、および信号を決定し、かつ例えば繰り返す基準で信号を伝送する。例えば、第３の時間期間は、通信デバイスによって使用される繰り返しタイミング構造内のウルトラスロットであり得る。モジュール１６０４は、モジュール１６０６、１６０８、１６１０、１６１２、１６１４、１６１６、１６１８、１６２０、および１６２２を含む。
【０１６５】
モジュール１６０６において、通信デバイスは、第３の時間期間内の現在のシンボル時間が、第１、第２、または第４の時間期間に対応するかどうかを決定する。現在のシンボル時間期間が、第４の時間期間に対応するなら、動作は、モジュール１６０６からモジュール１６０８へ進む。現在のシンボル時間期間が、第１の時間期間に対応するなら、動作は、モジュール１６０６からモジュール１６１４へ進む。現在のシンボル時間期間が、第２の時間期間に対応するなら、動作は、モジュール１６０６からサブステップ１６１６へ進む。
【０１６６】
モジュール１６０８において、通信デバイスは、ビーコン伝送がトーンブロック内で伝送されるようにスケジュールされるかどうかを決定する。ビーコンが、現在のシンボル時間に対応してスケジュールされるなら、動作は、モジュール１６０８からモジュール１６１０へ進む。ビーコンが、現在のシンボル時間に対応してスケジュールされていないなら、動作は、サブステップ１６０８からモジュール１６１２へ進む。モジュール１６１０において、通信デバイスは、第４の繰り返し時間期間の間、例えば、ビーコン信号およびトーンブロックヌルの１つのために確保された２つの連続するＯＦＤＭシンボル伝送時間間隔の時間期間の間に、第２の繰り返し時間期間の間に伝送される任意のトーンより高いトーン信号当たりのエネルギレベルを有する狭帯域ビーコントーンを伝送する。モジュール１６１２において、通信デバイスは、第４の繰り返し時間期間の間、前記トーンブロックへの伝送を止める。動作は、モジュール１６１０またはモジュール１６１２からモジュール１６２２へ進む。
【０１６７】
いくつかの実施形態において、通信システム内の異なる基地局取り付けポイントは、例えばセルおよび／またはセクタ識別子の関数として、ビーコン信号を運ぶために第３の時間期間内で異なる第４の時間期間を使用した。例えば、一つの例示的な３個のセクタ実施形態において、第３の時間期間は、２４個の索引が付けられた第４の時間期間を含む。例えば、セクタタイプ０の取り付けポイントは、ビーコン信号を運ぶためにインデックス０、３、６、９、１２、１５、１８、２１を有する第４の時間間隔を使用し、かつトーンブロックに対してインデックス１、２、４、５、７、８、１０、１１、１３、１４、１６、１７、１９、２０、２２、２３を有する第４の時間期間の間に伝送を止める。セクタタイプ１の取り付けポイントは、ビーコン信号を運ぶためにインデックス１、４、７、１０、１３、１６、１９、２２を有する第４の時間間隔を使用し、かつトーンブロックに対してインデックス０、２、３、５、６、８、９、１１、１２、１４、１５、１７、１８、２０、２１、２３を有する第４の時間期間の間に伝送を止める。セクタタイプ２の取り付けポイントは、ビーコン信号を運ぶためにインデックス２、５、８、１１、１４、１７、２０、２３を有する第４の時間間隔を使用し、かつトーンブロックに対してインデックス０、１、３、４、６、７、９、１０、１２、１３、１５、１６、１８、１９、２１、２２を有する第４の時間期間の間に伝送を止める。
【０１６８】
モジュール１６１４において、第１の繰り返し時間期間、例えば１個のＯＦＤＭシンボル時間間隔持続期間のストリップシンボル時間期間について、通信デバイスは、第１のトーンホッピングシーケンスに従って、パワーが伝送されるべきでないトーンサブセット、および非ゼロ変調シンボルが伝送されるべきであるトーンサブセットを決定し、パワーが伝送されるべきでない前記決定されたトーンサブセットは、前記トーンブロック内のトーンの少なくとも３０パーセントを含み、変調シンボルが伝送されるべきである前記決定されたトーンサブセットは、使用されるべき複数の所定のトーンサブセットの１つである。
【０１６９】
いくつかの実施形態において、第３の時間間隔における所与の第１の時間期間について、決定されたヌルトーンのサブセットおよび非ヌルトーンのサブセットの結合は、基地局取り付けポイントに関するトーンブロックトーンのセット、例えば基地局取り付けポイントに関するダウンリンクトーンブロックトーンのセットである。図１０は、ヌルトーンの９７個の異なるサブセットおよび非ヌルトーンの９７個の異なるサブセットに対応する例示的なトーンサブセット情報を含む。ヌルおよび非ヌルトーンの混合を使用することによって、信号が伝送された第１の時間期間は、チャネル推定を実行するために受信器、例えば無線端末受信器によって使用されることができる。さらに、同報通信制御情報は、第１の時間期間の間に通信される非ヌル変調シンボルの値によって通信される。
【０１７０】
第３の時間期間内の所与の第１の時間期間に対応するトーンサブセットは、いくつかの実施形態において、通信デバイスの取り付けポイントに対応するセル、セクタ識別子、および／またはトーンブロック、およびタイミング構造内のＯＦＤＭシンボル時間の関数として決定される。例えば、隣接するセルおよびまたはセクタに対応する取り付けポイントは、同一のトーンのサブセットを使用して異なるトーンホッピングシーケンスを使用する。図９は、例示的なトーンホッピング決定を記載する。
【０１７１】
動作は、モジュール１６１４からモジュール１６１８へ進む。モジュール１６１８において、通信デバイスは、モジュール１６１４から決定されたトーンサブセットに従ってＯＦＤＭシンボルを生成する。動作は、モジュール１６１８からモジュール１６２０へ進む。モジュール１６２０において、通信デバイスは、モジュール１２１８から生成されたＯＦＤＭシンボルを伝送する。動作は、モジュール１２２０からモジュール１２２２へ進む。
【０１７２】
モジュール１６１６において、通信デバイスは、第２の繰り返し時間期間、例えばユーザデータを運ぶために使用される１１２個の連続するＯＦＤＭシンボル時間間隔の間に、情報を伝送するために前記トーンのブロックを使用し、前記トーンブロックの前記トーンの少なくとも７０パーセントが、前記第２の時間期間の間に非ゼロ変調シンボルを通信するために利用可能である。例えば、前記第２の時間期間、ダウンリンクトラフィックチャネルセグメント信号は、いくつかの制御信号に加えて通信される。モジュール１６１６において、論理チャネルトーンは、いくつかの実施形態において、第１の時間期間に適用可能なトーンサブセットホッピングとは異なるトーンホッピングスキーマに従って、物理トーンにホッピングされる。いくつかのそのような実施形態において、第２の時間期間の間に適用可能なトーンホッピング、および第１の時間期間の間に適用可能なトーンサブセットホッピングの両方は、ホッピング、例えばトーンホッピング、トーンサブセットホッピングを決定するための入力として、セルおよび／またはセクタ識別子情報を利用する。例えば、異なる式は、同一の基地局セクタ取り付けポイントに関するホッピングに対して第１および第２の時間期間の間に使用される。動作は、モジュール１６１６からモジュール１６２２へ進む。
【０１７３】
モジュール１６２２において、通信デバイスは、第３の時間期間内のシンボル時間インデックスを更新する。例えば、一つの実施形態において、動作が、モジュール１６１０または１６２２を介してモジュール１６２２へ進んだなら、インデックスは、２個のＯＦＤＭシンボル伝送時間期間によって更新される。動作が、モジュール１６１４を介してモジュール１６２２へ進んだなら、インデックスは、１個のＯＦＤＭシンボル伝送時間期間によって更新される。動作が、モジュール１６１６を介してモジュール１６２２へ進んだなら、インデックスは、１１２個のＯＦＤＭシンボル伝送時間期間によって更新される。様々な実施形態において、更新は、索引付けが、第３の時間期間が完了したとき、次の連続する第３の時間期間、例えばウルトラスロットについて始まるように、変調計算を使用する。動作が、モジュール１６２２からモジュール１６０６へ進む。
【０１７４】
様々な実施形態において、第２の繰り返し時間期間は、第１の時間期間の持続期間の少なくとも１０倍の持続期間を有する。いくつかの実施形態において、第２の時間期間は、第１の時間期間の持続期間の５０倍より長い持続期間を有する。いくつかの実施形態において、第２の時間期間は、第１の時間期間の持続期間の１００倍より長い持続期間を有する。いくつかの実施形態において、第２の時間期間が、ユーザデータ伝送期間に対応するので、第１および第２の時間期間と、ユーザデータが通信されない第１および第４の時間期間などの時間期間のタイミング構造内位置との間の平衡は、ユーザの様相から途切れないユーザデータ通信の達成、特に、例えば音声アプリケーションなどの小さい潜時を必要とするアプリケーションにおいて重要な考慮すべきことであり得る。いくつかの実施形態において、第４の時間期間は、同期化、例えばフレーム同期化を実行する無線端末によって使用されるビーコン信号を運ぶために利用されるので、例示的な第３の時間期間は、第４の時間期間で始まる。
【０１７５】
様々な実施形態において、第１の時間期間について、第１のセットトーンホッピングシーケンスは、複数の所定のトーンサブセットのどの１つを使用するかを決定する。例えば、所与の基地局取り付けポイントについての繰り返しタイミング構造内の所与の第１の時間期間に関する第１のトーンセットホッピングシーケンスは、図１０の表１０００の９７個の列の１つに対応するトーンサブセット情報を使用することを決定する。様々な実施形態において、無線通信システムにおける異なる隣接する基地局取り付けポイントは、異なる第１の時間期間トーンサブセットホッピングシーケンスを使用する。
【０１７６】
様々な実施形態において、第１および第２の時間期間は、変調増分インデックスを使用して索引が付けられた第１の時間期間内のＯＦＤＭシンボル伝送時間期間を、所定の基準で繰り返す第３の時間期間内で生じ、第１のトーンセットホッピングシーケンスは、変調増分インデックスの関数である。例えば、例示的なウルトラスロットは、１８０個の索引が付けられた第１の時間期間を含むことができるが、第１のトーンホッピングシーケンスは、ウルトラスロット内の９８番目の第１の時間期間で繰り返しを開始する。
【０１７７】
様々な実施形態において、ヌルトーンサブセットおよび非ヌルトーンサブセットの少なくとも１つに対応する所定のトーンサブセットの数は、素数である。図１０の実施例において、素数は９７である。
【０１７８】
一つの例示的な実施形態において、しばしばトーンサブセットホッピングシーケンスとも呼ばれるトーンサブセット割り当てシーケンスは、以下として与えられる。
【０１７９】
ｆ（ｂｓｓＳｌｏｐｅＩｎｄｅｘ，ｂｓｓＳｅｃｔｏｒＴｙｐｅ，ｋ）＝（ｂｓｓＳｌｏｐｅＩｎｄｅｘ＋１）／（（ｂｓｓＳｅｃｔｏｒＴｙｐｅ＊ｋ＋ｋ２）は、ストリップシンボルｋにおいて選択されるべきトーンサブセットのインデックスを表し、ここで、各算術演算子（＋，２，＊，／）は、Ｎの領域で規定され、Ｎは素数であり、例えば、Ｎ＝９７である。
【０１８０】
ｂｓｓＳｌｏｐｅＩｎｄｅｘは、セルスロープ値のインデックスであり、好ましくはセルの各セクタについて同一であり、隣接セルは、ｂｓｓＳｌｏｐｅＩｎｄｅｘに関して異なる値を有するべきである。パラメータｂｓｓＳｌｏｐｅＩｎｄｅｘは、０，１，・・・，Ｎ１−１に等しく、ここで、Ｎ１≦Ｎである。例えば、１つの実施形態において、Ｎ１＝９６である。
【０１８１】
ｂｓｓＳｅｃｔｏｒＴｙｐｅは、セクタのインデックスである。例えば、セクタタイプＴが、セット{０，１，・・・，５}、{０，１}または{０，１，２}にあると仮定し、所与の基地局における隣接セクタは、Ｔの異なる値を有するべきである。
【０１８２】
ｆは、基地局のセクタにおける関数である。
【０１８３】
ｋは、ストリップシンボル期間のインデックスであり、ここでｋ＝Ｌ＊１０＋ｍである。
【０１８４】
ｍは、ビーコンスロット内のストリップシンボルインデックスであり、例えば、ｍは、セット{０，１，・・・，９}内の値である。
【０１８５】
Ｌは、ウルトラスロット内のビーコンインデックスであり、例えばＬは、セット{０，１，・・・，１７}内の値である。
【０１８６】
わずかに異なる形式で表現され、
ｋ＝Ｌ＊１０＋ｍ
ｔｅｍｐ０＝ｂｓｓＳｅｃｔｏｒＴｙｐｅ＊ｋ＋ｋ＊ｋ
ｔｅｍｐ１＝ｉｍｏｄ（ｔｅｍｐ０、Ｎ）
ｆ（ｂｓｓＳｌｏｐｅＩｎｄｅｘ、ｂｓｓＳｅｃｔｏｒＴｙｐｅ，ｋ）＝ｍｏｄ（ｔｅｍｐ１＊（ｂｓｓＳｌｏｐｅＩｎｄｅｘ＋１），Ｎ）であり、
ここで、整数ｘおよびｍに関して、モジュロ関数ｍｏｄ（ｘ，ｍ）は、ｍｏｄ（ｘ，ｍ）＝ｘ−ｍ＊ｆｌｏｏｒ（ｘ／ｍ）として定義され、ここで関数ｆｌｏｏｒ（ｘ）は、ｘ以下の最大の整数として定義され、整数ｘおよびｍに関して、逆モジュロ関数ｉｍｏｄ（ｘ，ｍ）は、ｙに等しく、ｍｏｄ（ｘ＊ｙ，ｍ）が１に等しいなら１≦ｙ≦ｍである。ｍｏｄ（ｘ，ｍ）がゼロであるなら、ｉｍｏｄ（ｘ，ｍ）は、０に設定される。
【０１８７】
様々な実施形態において、第１のトーンサブセットホッピングシーケンスは、セル識別子、例えばスロープ値の関数である。様々な実施形態において、第１のトーンホッピングシーケンスは、セクタ識別子値の関数でもある。
【０１８８】
図１７Ａおよび図１７Ｂの組み合わせからなる図１７は、様々な実施形態に従って無線端末を動作するモジュールを有する例示的な無線端末のブロック図である。無線端末１７００は、無線端末が、基地局取り付けポイント送信器から第４の時間期間の間にビーコン信号を受信するモジュール１７０４を含む。動作は、モジュール１７０４からモジュール１７０６へ進む。モジュール１７０６において、無線端末は、基地局取り付けポイント送信器から受信したビーコン信号に対応するセルおよび／またはセクタ識別子情報（１７０８、１７１０）を決定する。動作は、モジュール１７０６からモジュール１７１２へ進む。モジュール１７１２において、無線端末は、タイミング同期化情報を決定するために受信したビーコン信号を使用する。例えば、無線端末は、第３の時間期間、例えば繰り返しダウンリンクタイミング構造におけるウルトラスロットの始まりを決定するように同期化情報を決定する。次に、モジュール１７１４において、無線端末は、無線端末のダウンリンク受信を基地局取り付けポイント送信器に同期化するために、モジュール１７１４から決定された同期化情報を使用する。動作は、モジュール１７１４からモジュール１７１６へ進む。
【０１８９】
モジュール１７１６において、無線端末は、進行基準で基地局取り付けポイント送信器からダウンリンク信号を受信する。動作は、モジュール１７１６からモジュール１７１８へ進む。モジュール１７１８において、無線端末は、第３の時間期間内の現在のシンボル時間が、第１、第２、または第３の時間期間に対応するかどうかを決定する。第３の時間期間内の現在のシンボル時間が、第４の時間期間に対応するなら、動作は、モジュール１７１８からモジュール１７２０へ進む。第３の時間期間内の現在のシンボル時間が、第２の時間期間に対応するなら、動作は、モジュール１７１８からモジュール１７２２へ進む。第３の時間期間内の現在のシンボル時間が、第１の時間期間に対応するなら、動作は、モジュール１７１８から接続ノードＡ１７２４を介してモジュール１７２６へ進む。
【０１９０】
モジュール１７２０において、無線端末は、受信したならビーコン信号を監視し、回復しかつ処理する。いくつかの実施形態において、いくつかの第４の時間期間は、ビーコン信号を運び、一方、いくつかの第４の時間期間は、基地局取り付けポイント送信器による意図的なダウンリンクトーンブロックヌルに対応する。動作は、モジュール１７２０からモジュール１７４２へ進む。
【０１９１】
モジュール１７２２において、無線端末は、ユーザデータを含むＯＦＤＭシンボルを回復しかつ処理する。モジュール１７２２は、モジュール１７２３を含む。モジュール１７２３において、無線端末は、論理チャネルトーンを物理チャネルトーンへマッピングするためにトーンホッピング式を使用し、前記トーンホッピング式は、前記第１の時間期間の間に使用されたトーンサブセットホッピングシーケンス式とは異なる。様々な実施形態において、モジュール１７２３のホッピング関数は、セルＩＤ情報１４０８およびセクタＩＤ情報１４１０の少なくとも１つを入力として使用する。動作は、モジュール１７２２からモジュール１７４２へ進む。
【０１９２】
モジュール１７２６において、無線端末は、ストリップシンボルを回復しかつ処理する。モジュール１４２６は、モジュール１７２８、１７３０、１７３２、１７３４、１７３６、および１７３８を含む。モジュール１７２８において、無線端末は、第３の時間期間内の第１の時間期間インデックス、例えば値ｋ１７２９を決定する。動作は、モジュール１７２８からモジュール１７３０へ進む。
【０１９３】
モジュール１７３０において、無線端末は、第３の時間期間内の第１の時間期間インデックス１７２９、決定されたセル識別子情報１４０８、および決定されたセクタ識別子情報１４１０の関数として、第１の時間期間トーンサブセットインデックス１７３１を決定する。例えば、モジュール１７３０において、フローチャート１２００および第１の時間期間についての基地局１３００に関して前述された同一のトーンサブセットホッピング関数が、使用されることができる。動作は、モジュール１７３０からモジュール１７３２へ進む。モジュール１７３２において、無線端末は、ヌルトーンのサブセットおよび非ヌルトーンのサブセットを決定するために、決定された第１の時間期間トーンサブセットインデックス値１７３１、およびトーンサブセットマッピング情報に対する格納された第１の時間期間トーンサブセットインデックス１７３３を使用する。一つの例示的な実施形態において、マッピング情報１７３３は、図１０の表１０００の情報を含むことができる。動作は、モジュール１７３２からサブステップ１７３４へ進む。
【０１９４】
モジュール１７３４において、無線端末は、ストリップシンボルの非ヌルトーンの識別されたサブセットによって運ばれる変調シンボル値を回復する。動作は、モジュール１７３４からモジュール１７３６へ進む。モジュール１７３６において、無線端末は、回復された変調シンボル値によって運ばれる同報通信制御データを回復する。動作は、モジュール１７３６からモジュール１７３８へ進む。モジュール１７３８において、無線端末は、基地局取り付けポイント送信器が、取り付けポイントのトーンサブセットホッピング割り当てシーケンスに従って、第１の時間期間の間に決定されたヌルトーンサブセットのトーンで伝送することを止める知識を使用して、チャネル推定を実行する。様々な実施形態において、モジュール１７３４、１７３６、および１７３８の動作は、異なる順番で実行され、かつ／または１つ以上のモジュール１７３４、１７３６、１７３８は、共同で実行される。例えば、チャネル推定は、同報通信制御データ回復に先行することができる。動作は、ステップ１７２６から接続ノードＢ１７４０を介してモジュール１７４２へ進む。
【０１９５】
モジュール１７４２において、無線端末は、第３の時間期間内のシンボル時間インデックスを更新する。ステップ１７４２への経路に応じて、いくつの実施形態において、インデックス更新の量は異なる。例えば、一つの例示的な実施形態において、第４の時間期間は、２個の連続するＯＦＤＭシンボル伝送時間期間を占め、第２の時間期間は、１１２個の連続するＯＦＤＭシンボル伝送時間期間を占め、かつ第１の時間期間は、単一のＯＦＤＭシンボル伝送時間期間を占める。モジュール１７４２の更新は、第３の時間期間が、例えば変調動作を使用して完了したとき、第３の期間索引付けが再開始することも考慮する。いくつかの実施形態において、第１の時間期間トーンサブセットインデックス値ｋは、新たな第３の時間期間、例えば新たなウルトラスロットの始まりで例えば０に再設定される。
【０１９６】
動作は、モジュール１７４２からモジュール１７１８へ進み、モジュール１７１８で、無線端末は、第３の時間期間内の現在のシンボル時間インデックスが、第１、第２、または第４の時間期間に対応するかどうかを決定する。
【０１９７】
図１６および図１７に関して記載された様々なモジュールは、より少ないモジュールに組み合わせられることができる。例えば、モジュール１６１０および１６１２は、単一のモジュールに含まれることができる。さらに、図１６および図１７に関して記載された様々なモジュールは、図２、図３、図９、図１３、および図１５で１つ以上のモジュールで表されることができる。
【０１９８】
様々な実施形態において、受信されたストリップシンボルは、伝送されたＯＦＤＭシンボルに対応するＯＦＤＭシンボルであり、ヌルトーンのサブセットおよび非ヌルトーンのサブセットを使用して、基地局取り付けポイント送信器によって伝送され、ヌルトーンの前記サブセットは、ダウンリンクトーンブロックにおけるトーンの少なくとも３０％である。いくつかのそのような実施形態において、非ヌルトーンのサブセットは、複数の無線端末に向けられた同報通信制御情報を通信するために使用される。
【０１９９】
様々な実施形態において、第２の繰り返し時間期間の間に、ダウンリンクトーンのブロック、例えば１１３個のトーンのダウンリンクトーンブロックは、第２の時間期間の間に非ゼロ変調シンボルを通信するために使用可能である前記ダウンリンクトーンブロックトーンの少なくとも７０％である情報を伝送するために使用される。いくつかの実施形態において、第２の時間期間は、第１の時間期間の持続期間の少なくとも１０倍の持続期間を有する。一つの例示的な実施形態において、第１の時間期間は、１個のＯＦＤＭシンボル伝送時間間隔の持続期間を有し、第２の時間期間は、１１２個のＯＦＤＭシンボル伝送時間間隔の持続期間を有する。いくつかの実施形態において、タイミング構造は、複数、例えば２個または３個の第１の時間期間がともにグループに分けられるものである。いくつかの実施形態において、タイミング構造は、第１の時間期間の所定のグループ分けが、第４の時間期間、例えばビーコン信号が通信されることができる第４の時間期間と同じ持続期間を有するものである。
【０２００】
いくつかの実施形態の技術は、ソフトウェア、ハードウェア、および／またはソフトウェアとハードウェアとの組み合わせを使用して実施されることができる。いくつかの実施形態は、装置、例えば、移動体端末、基地局、いくつかの実施形態を実施する通信システムなどの移動体ノードに向けられる。それは、方法、例えば、いくつかの実施形態に従って、移動体ノード、基地局、および／またはホストなどの通信システムを制御しかつ／または動作する方法にも向けられる。いくつかの実施形態は、いくつかの実施形態に従って１つ以上のステップを実施するために、機械を制御するための機械可読命令を含む、機械可読媒体、例えばＲＯＭ、ＲＡＭ、ＣＤ、ハードディスクなどにも向けられる。
【０２０１】
様々な実施形態において、本明細書に記載されるノードは、いくつかの実施形態の１つ以上の方法に対応するステップ、例えば信号処理、メッセージ生成、および／または伝送ステップを実行するために、１つ以上のモジュールを使用して実施される。したがって、いくつかの実施形態において、いくつかの実施形態の様々な特徴は、モジュールを使用して実施される。そのようなモジュールは、ソフトウェア、ハードウェア、またはソフトウェアとハードウェアとの組み合わせを使用して実施されることができる。上述された方法または方法ステップの多くは、例えば１つ以上のノードにおける上述された方法の全てまたは一部を実施するために、追加のハードウェアを有するまたは有さない機械、例えば汎用コンピュータを制御するために、メモリデバイス、例えばＲＡＭ、フロッピー（登録商標）ディスクなどの機械可読媒体に含まれるソフトウェアなどの機械実行可能な命令を使用して実施されることができる。したがって、とりわけ、いくつかの実施形態は、機械、例えばプロセッサおよび関連付けられるハードウェアに、上述の方法の１つ以上のステップを実行させる機械実行可能な命令を含む機械可読媒体に向けられる。
【０２０２】
ＯＦＤＭシステムに関連して記載されるが、いくつかの実施形態の方法および装置の少なくともいくつかは、多くの非ＯＦＤＭおよび／または非セルラシステムを含む広範な通信システムに適用可能である。
【０２０３】
上述のいくつかの実施形態の方法および装置に対する多数のさらなる変形は、いくつかの実施形態の上記記載に鑑み当業者には明らかである。そのような変形は、いくつかの実施形態の範囲内であると考えられる。いくつかの実施形態の方法および装置は、ＣＤＭＡ、直交周波数分割多重化（ＯＦＤＭ）、および／またはアクセスノードと移動体ノードとの間の無線通信リンクを提供するために使用されることができる様々な他のタイプの通信技術であることができ、かつ様々な実施形態において様々な他のタイプの通信技術である。いくつかの実施形態において、アクセスノードは、ＯＦＤＭおよび／またはＣＤＭＡを使用する移動体ノードを有する通信リンクを確立する基地局として実施される。様々な実施形態において、移動体ノードは、ノートブックコンピュータ、携帯情報端末（ＰＤＡ）、またはいくつかの実施形態の方法を実施するための受信器／送信器回路および論理および／またはルーチンを含む他の可搬デバイスである。
【図面の簡単な説明】
【０２０４】
【図１】様々な実施形態に従って実施された例示的な通信システムのネットワーク図を示す図。
【図２】様々な実施形態に従って実施された例示的な基地局を示す図。
【図３】様々な実施形態に従って実施された例示的な無線端末を示す図。
【図４】ＯＦＤＭシステムで使用される例示的なトーンセットを示す図。
【図５】様々な実施形態に従ってストリップシンボル期間および非ストリップシンボル期間を示す例示的な信号フレーム構造を示す図。
【図６】様々な実施形態に従って基地局送信器によって使用されるトーンサブセットの例示的なセットを示す図。
【図７】それぞれ様々な実施形態に従って２つの送信器によって使用される２つの例示的なトーンサブセット割り当てシーケンスを示す図。
【図８】様々な実施形態に従うフレーム同期構造に適合するように、トーンサブセット割り当てシーケンスを切り詰める動作を示す図。
【図９】様々な実施形態に従って実施された例示的なトーンサブセット割り当てモジュールを示す図。
【図１０】図１０Ａ、図１０Ｂ、図１０Ｃ、図１０Ｄ、図１０Ｅ、図１０Ｆ、図１０Ｇの組合せを有し、例示的な実施形態において、ストリップシンボル間隔で使用するために割り当てられた例示的なトーンサブセットの複合物の表を示す図。
【図１１】様々な実施形態に従って基地局取り付けポイントに関連付けられたダウンリンクトーンブロックの使用に対する例示的な繰り返しタイミング構造を示す図。
【図１２】様々な実施形態に従って情報を通信するためにトーンのブロックを使用する通信デバイス、例えば基地局を動作する例示的な方法のフローチャートを示す図。
【図１３】様々な実施形態に従って実施される例示的な基地局を示す図。
【図１４】図１４Ａ及び図１４Ｂの組合せを有し、様々な実施形態に従う無線端末の動作の例示的な方法のフローチャートを示す図。
【図１５】様々な実施形態に従って実施される例示的な無線端末を示す図。
【図１６】様々な実施形態に従って情報を通信するためにトーンのブロックを使用する通信デバイス、例えば基地局を動作するモジュールを有する例示的な通信デバイスのブロック図を示す図。
【図１７】図１７Ａ及び図１７Ｂの組合せを有し、様々な実施形態に従って無線端末を動作するモジュールを有する例示的な無線端末のブロック図を示す図。
【図１】
2009533987.tif 000003
【図２】
2009533987.tif 000004
【図３】
2009533987.tif 000005
【図４】
2009533987.tif 000006
【図５】
2009533987.tif 000007
【図６】
2009533987.tif 000008
【図７】
2009533987.tif 000009
【図８】
2009533987.tif 000010
【図９】
2009533987.tif 000011
【図１０】
2009533987.tif 000012
【図１０Ａ】
2009533987.tif 000013
【図１０Ｂ】
2009533987.tif 000014
【図１０Ｃ】
2009533987.tif 000015
【図１０Ｄ】
2009533987.tif 000016
【図１０Ｅ】
2009533987.tif 000017
【図１０Ｆ】
2009533987.tif 000018
【図１０Ｇ】
2009533987.tif 000019
【図１１】
2009533987.tif 000020
【図１２】
2009533987.tif 000021
【図１３】
2009533987.tif 000022
【図１４】
2009533987.tif 000023
【図１４Ａ】
2009533987.tif 000024
【図１４Ｂ】
2009533987.tif 000025
【図１５】
2009533987.tif 000026
【図１６】
2009533987.tif 000027
【図１７】
2009533987.tif 000028
【図１７Ａ】
2009533987.tif 000029
【図１７Ｂ】
2009533987.tif 000030
【国際調査報告】
2009533987.tif 000031
2009533987.tif 000032
2009533987.tif 000033